(57)【特許請求の範囲】
【請求項１】
ワイヤレス通信の方法において、
品質測定および通信のための第１の組のリソースを識別する第１のコンフィギュレーション情報を受信することと、
干渉を消去すべき少なくとも１つの隣接セルに対応しているセル識別子のリストを、担当セルから受信することと、
前記セル識別子のリストの受信に基づき、前記セル識別子のうちの１つ以上に対応する前記少なくとも１つの隣接セルから受信した干渉を、受信した信号から除去することと、
前記干渉を持たない受信信号の品質測定を含む報告を送信することと、を含み、
前記品質測定は、前記受信信号中の前記第１の組のリソースの測定に対応する方法。
【請求項２】
前記品質測定は、受信信号受信品質（ＲＳＲＱ）測定であり、前記報告は、無線リソース管理（ＲＲＭ）報告である請求項１記載の方法。
【請求項３】
品質測定のための第２の組のリソースを識別する第２のコンフィギュレーション情報を受信することをさらに含み、
前記報告は、前記受信信号中の前記第２の組のリソースに対応する第２の品質測定をさらに含む請求項１記載の方法。
【請求項４】
前記第２の組のリソースは、通信用に構成されていない請求項３記載の方法。
【請求項５】
前記干渉は、セル固有基準信号（ＣＲＳ）、物理ダウンリンク共有チャネル（ＰＤＳＣＨ）、物理ダウンリンク制御チャネル（ＰＤＣＣＨ）、または、物理制御フォーマットインジケータチャネル（ＰＣＦＩＣＨ）のうちの少なくとも１つを含む請求項１記載の方法。
【請求項６】
前記ＰＤＣＣＨ／ＰＣＦＩＣＨを受信した各無線ネットワークに対する無線ネットワーク一時識別子（ＲＮＴＩ）と、制御チャネルエレメント（ＣＣＥ）集約レベルと、前記ＰＤＣＣＨ／ＰＣＦＩＣＨに対して使用されるリソースエレメント（ＲＥ）と基準信号に対して使用されるＲＥとの間の相対的な電力比とのうちの少なくとも１つを含む情報を受信することをさらに含み、
前記干渉は、前記受信した情報に基づいて、前記受信信号から除去され、前記干渉は、前記ＰＤＣＣＨまたは前記ＰＣＦＩＣＨのうちの少なくとも１つを含む請求項５記載の方法。
【請求項７】
前記干渉を持つ前記受信信号の品質測定を含む第２の報告を送信することをさらに含む請求項１記載の方法。
【請求項８】
前記セル識別子のうちの１つに対応するセルから、少なくとも１つの同期信号を受信することと、
前記受信した少なくとも１つの同期信号から、追加で受信した同期信号に対応する干渉を除去することと、
前記追加で受信した同期信号に対応する干渉を持たない前記少なくとも１つの同期信号に基づいて、前記セルを検出することとをさらに含む請求項１記載の方法。
【請求項９】
ポジショニング基準信号（ＰＲＳ）に基づいて、前記セル識別子のうちの１つに対応するセルを検出することをさらに含む請求項１記載の方法。
【請求項１０】
前記セル識別子のうちの１つに対応するセルから、物理ブロードキャストチャネル（ＰＢＣＨ）を受信することと、
前記セルを検出するために、前記受信したＰＢＣＨから、追加で受信したＰＢＣＨの干渉を除去することと、
前記追加で受信したＰＢＣＨの干渉を持たない前記ＰＢＣＨに基づいて、前記セルを検出することとをさらに含む請求項１記載の方法。
【請求項１１】
前記担当セルから受信した、隣接セルの物理ブロードキャストチャネル（ＰＢＣＨ）に基づいて、前記セル識別子のうちの１つに対応するセルを検出することをさらに含む請求項１記載の方法。
【請求項１２】
ワイヤレス通信の方法において、
少なくとも１つのセル識別子をユーザ機器（ＵＥ）に送信することと、
前記ＵＥに信号を送信することと、
前記送信信号の品質測定を含む報告を受信することと、
前記送信信号の前記品質測定が、干渉を持たない前記送信信号に対応するか否かに基づいて、前記ＵＥが前記干渉を消去することが可能であるか否かを決定することとを含み、
各セル識別子は、その送信信号が干渉消去のために識別されるセルに対応している方法。
【請求項１３】
前記ＵＥが前記干渉を消去することが可能であるか否かに基づいて、前記ＵＥを担当するか否かを決定することをさらに含む請求項１２記載の方法。
【請求項１４】
前記品質測定は、受信信号受信品質（ＲＳＲＱ）測定であり、前記報告は、無線リソース管理（ＲＲＭ）報告である請求項１２記載の方法。
【請求項１５】
第１の組のリソースを通して通信するように前記ＵＥを構成することをさらに含み、
前記品質測定は、前記第１の組のリソース中で送信された信号に対応する請求項１２記載の方法。
【請求項１６】
第２の組のリソースの前記品質測定を提供するように前記ＵＥを構成することをさらに含み、前記ＵＥは、前記第２の組のリソースを通して通信するように構成されておらず、前記品質測定は、前記第２の組のリソースを通して送信された信号にさらに対応している請求項１５記載の方法。
【請求項１７】
前記干渉は、セル固有基準信号（ＣＲＳ）、物理ダウンリンク共有チャネル（ＰＤＳＣＨ）、物理ダウンリンク制御チャネル（ＰＤＣＣＨ）、または、物理制御フォーマットインジケータチャネル（ＰＣＦＩＣＨ）のうちの少なくとも１つを含む請求項１２記載の方法。
【請求項１８】
前記干渉は、前記ＰＤＣＣＨまたは前記ＰＣＦＩＣＨのうちの少なくとも１つを含み、
前記方法は、前記ＵＥによって前記ＰＤＣＣＨ／ＰＣＦＩＣＨを受信した各無線ネットワークに対する無線ネットワーク一時識別子（ＲＮＴＩ）と、制御チャネルエレメント（ＣＣＥ）集約レベルと、前記ＰＤＣＣＨ／ＰＣＦＩＣＨに対して使用されるリソースエレメント（ＲＥ）と基準信号に対して使用されるＲＥとの間の相対的な電力比とのうちの少なくとも１つを含む情報を送信することをさらに含む請求項１７記載の方法。
【請求項１９】
前記干渉を持つ前記送信信号の品質測定を含む第２の報告を受信することをさらに含む請求項１２記載の方法。
【請求項２０】
ワイヤレス通信のための装置において、
品質測定および通信のための第１の組のリソースを識別する第１のコンフィギュレーション情報を受信する手段と、
干渉を消去すべき少なくとも１つの隣接セルに対応しているセル識別子のリストを、担当セルから受信する手段と、
前記セル識別子のリストの受信に基づき、前記セル識別子のうちの１つ以上に対応する前記少なくとも１つの隣接セルから受信した干渉を、受信した信号から除去する手段と、
前記干渉を持たない受信信号の品質測定を含む報告を送信する手段と、を具備し、
前記品質測定は、前記受信信号中の前記第１の組のリソースの測定に対応する装置。
【請求項２１】
前記品質測定は、受信信号受信品質（ＲＳＲＱ）測定であり、前記報告は、無線リソース管理（ＲＲＭ）報告である請求項２０記載の装置。
【請求項２２】
品質測定のための第２の組のリソースを識別する第２のコンフィギュレーション情報を受信する手段をさらに具備し、
前記報告は、前記受信信号中の前記第２の組のリソースに対応する第２の品質測定をさらに含む請求項２０記載の装置。
【請求項２３】
前記第２の組のリソースは、通信用に構成されていない請求項２２記載の装置。
【請求項２４】
前記干渉は、セル固有基準信号（ＣＲＳ）、物理ダウンリンク共有チャネル（ＰＤＳＣＨ）、物理ダウンリンク制御チャネル（ＰＤＣＣＨ）、または、物理制御フォーマットインジケータチャネル（ＰＣＦＩＣＨ）のうちの少なくとも１つを含む請求項２０記載の装置。
【請求項２５】
前記ＰＤＣＣＨ／ＰＣＦＩＣＨを受信した各無線ネットワークに対する無線ネットワーク一時識別子（ＲＮＴＩ）と、制御チャネルエレメント（ＣＣＥ）集約レベルと、前記ＰＤＣＣＨ／ＰＣＦＩＣＨに対して使用されるリソースエレメント（ＲＥ）と基準信号に対して使用されるＲＥとの間の相対的な電力比とのうちの少なくとも１つを含む情報を受信する手段をさらに具備し、
前記干渉は、前記受信した情報に基づいて、前記受信信号から除去され、前記干渉は、前記ＰＤＣＣＨまたは前記ＰＣＦＩＣＨのうちの少なくとも１つを含む請求項２４記載の装置。
【請求項２６】
前記干渉を持つ前記受信信号の品質測定を含む第２の報告を送信する手段をさらに具備する請求項２０記載の装置。
【請求項２７】
前記セル識別子のうちの１つに対応するセルから、少なくとも１つの同期信号を受信する手段と、
前記受信した少なくとも１つの同期信号から、追加で受信した同期信号に対応する干渉を除去する手段と、
前記追加で受信した同期信号に対応する干渉を持たない前記少なくとも１つの同期信号に基づいて、前記セルを検出する手段とをさらに具備する請求項２０記載の装置。
【請求項２８】
ポジショニング基準信号（ＰＲＳ）に基づいて、前記セル識別子のうちの１つに対応するセルを検出する手段をさらに具備する請求項２０記載の装置。
【請求項２９】
前記セル識別子のうちの１つに対応するセルから、物理ブロードキャストチャネル（ＰＢＣＨ）を受信する手段と、
前記セルを検出するために、前記受信したＰＢＣＨから、追加で受信したＰＢＣＨの干渉を除去する手段と、
前記追加で受信したＰＢＣＨの干渉を持たない前記ＰＢＣＨに基づいて、前記セルを検出する手段とをさらに具備する請求項２０記載の装置。
【請求項３０】
前記担当セルから受信した、隣接セルの物理ブロードキャストチャネル（ＰＢＣＨ）に基づいて、前記セル識別子のうちの１つに対応するセルを検出する手段をさらに具備する請求項２０記載の装置。
【請求項３１】
ワイヤレス通信のための装置において、
少なくとも１つのセル識別子をユーザ機器（ＵＥ）に送信する手段と、
前記ＵＥに信号を送信する手段と、
前記送信信号の品質測定を含む報告を受信する手段と、
前記送信信号の前記品質測定が、干渉を持たない前記送信信号に対応するか否かに基づいて、前記ＵＥが前記干渉を消去することが可能であるか否かを決定する手段とを具備し、
各セル識別子は、その送信信号が干渉消去のために識別されるセルに対応している装置。
【請求項３２】
前記ＵＥが前記干渉を消去することが可能であるか否かに基づいて、前記ＵＥを担当するか否かを決定する手段をさらに具備する請求項３１記載の装置。
【請求項３３】
前記品質測定は、受信信号受信品質（ＲＳＲＱ）測定であり、前記報告は、無線リソース管理（ＲＲＭ）報告である請求項３１記載の装置。
【請求項３４】
第１の組のリソースを通して通信するように前記ＵＥを構成する手段をさらに具備し、
前記品質測定は、前記第１の組のリソース中で送信された信号に対応する請求項３１記載の装置。
【請求項３５】
第２の組のリソースの前記品質測定を提供するように前記ＵＥを構成する手段をさらに具備し、前記ＵＥは、前記第２の組のリソースを通して通信するように構成されておらず、前記品質測定は、前記第２の組のリソースを通して送信された信号にさらに対応する請求項３４記載の装置。
【請求項３６】
前記干渉は、セル固有基準信号（ＣＲＳ）、物理ダウンリンク共有チャネル（ＰＤＳＣＨ）、物理ダウンリンク制御チャネル（ＰＤＣＣＨ）、または、物理制御フォーマットインジケータチャネル（ＰＣＦＩＣＨ）のうちの少なくとも１つを含む請求項３１記載の装置。
【請求項３７】
前記干渉は、前記ＰＤＣＣＨまたは前記ＰＣＦＩＣＨのうちの少なくとも１つを含み、
前記装置は、前記ＵＥによって前記ＰＤＣＣＨ／ＰＣＦＩＣＨを受信した各無線ネットワークに対する無線ネットワーク一時識別子（ＲＮＴＩ）と、制御チャネルエレメント（ＣＣＥ）集約レベルと、前記ＰＤＣＣＨ／ＰＣＦＩＣＨに対して使用されるリソースエレメント（ＲＥ）と基準信号に対して使用されるＲＥとの間の相対的な電力比とのうちの少なくとも１つを含む情報を送信する手段をさらに具備する請求項３６記載の装置。
【請求項３８】
前記干渉を持つ前記送信信号の品質測定を含む第２の報告を受信する手段をさらに具備する請求項３１記載の装置。
【請求項３９】
ワイヤレス通信のための装置において、
品質測定および通信のための第１の組のリソースを識別する第１のコンフィギュレーション情報を受信するようにと、
干渉を消去すべき少なくとも１つの隣接セルに対応しているセル識別子のリストを、担当セルから受信するようにと、
前記セル識別子のリストの受信に基づき、前記セル識別子のうちの１つ以上に対応する前記少なくとも１つの隣接セルから受信した干渉を、受信した信号から除去するようにと、
前記干渉を持たない受信信号の品質測定を含む報告を送信するようにと、
構成されている処理システムを具備し、
前記品質測定は、前記受信信号中の前記第１の組のリソースの測定に対応する装置。
【請求項４０】
前記品質測定は、受信信号受信品質（ＲＳＲＱ）測定であり、前記報告は、無線リソース管理（ＲＲＭ）報告である請求項３９記載の装置。
【請求項４１】
前記処理システムは、品質測定のための第２の組のリソースを識別する第２のコンフィギュレーション情報を受信するようにさらに構成されており、
前記報告は、前記受信信号中の前記第２の組のリソースに対応する第２の品質測定をさらに含む請求項３９記載の装置。
【請求項４２】
前記第２の組のリソースは、通信用に構成されていない請求項４１記載の装置。
【請求項４３】
前記干渉は、セル固有基準信号（ＣＲＳ）、物理ダウンリンク共有チャネル（ＰＤＳＣＨ）、物理ダウンリンク制御チャネル（ＰＤＣＣＨ）、または、物理制御フォーマットインジケータチャネル（ＰＣＦＩＣＨ）のうちの少なくとも１つを含む請求項３９記載の装置。
【請求項４４】
前記処理システムは、前記ＰＤＣＣＨ／ＰＣＦＩＣＨを受信した各無線ネットワークに対する無線ネットワーク一時識別子（ＲＮＴＩ）と、制御チャネルエレメント（ＣＣＥ）集約レベルと、前記ＰＤＣＣＨ／ＰＣＦＩＣＨに対して使用されるリソースエレメント（ＲＥ）と基準信号に対して使用されるＲＥとの間の相対的な電力比とのうちの少なくとも１つを含む情報を受信するようにさらに構成されており、
前記干渉は、前記受信した情報に基づいて、前記受信信号から除去され、前記干渉は、前記ＰＤＣＣＨまたは前記ＰＣＦＩＣＨのうちの少なくとも１つを含む請求項４３記載の装置。
【請求項４５】
前記処理システムは、前記干渉を持つ前記受信信号の品質測定を含む第２の報告を送信するようにさらに構成されている請求項３９記載の装置。
【請求項４６】
前記処理システムは、
前記セル識別子のうちの１つに対応するセルから、少なくとも１つの同期信号を受信するようにと、
前記受信した少なくとも１つの同期信号から、追加で受信した同期信号に対応する干渉を除去するようにと、
前記追加で受信した同期信号に対応する干渉を持たない前記少なくとも１つの同期信号に基づいて、前記セルを検出するようにさらに構成されている請求項３９記載の装置。
【請求項４７】
前記処理システムは、ポジショニング基準信号（ＰＲＳ）に基づいて、前記セル識別子のうちの１つに対応するセルを検出するようにさらに構成されている請求項３９記載の装置。
【請求項４８】
前記処理システムは、
前記セル識別子のうちの１つに対応するセルから、物理ブロードキャストチャネル（ＰＢＣＨ）を受信するようにと、
前記セルを検出するために、前記受信したＰＢＣＨから、追加で受信したＰＢＣＨの干渉を除去するようにと、
前記追加で受信したＰＢＣＨの干渉を持たない前記ＰＢＣＨに基づいて、前記セルを検出するようにさらに構成されている請求項３９記載の装置。
【請求項４９】
前記処理システムは、前記担当セルから受信した、隣接セルの物理ブロードキャストチャネル（ＰＢＣＨ）に基づいて、前記セル識別子のうちの１つに対応するセルを検出するようにさらに構成されている請求項３９記載の装置。
【請求項５０】
ワイヤレス通信のための装置において、
少なくとも１つのセル識別子をユーザ機器（ＵＥ）に送信するようにと、
前記ＵＥに信号を送信するようにと、
前記送信信号の品質測定を含む報告を受信するようにと、
前記送信信号の前記品質測定が、干渉を持たない前記送信信号に対応するか否かに基づいて、前記ＵＥが前記干渉を消去することが可能であるか否かを決定するように構成されている処理システムを具備し、
各セル識別子は、その送信信号が干渉消去のために識別されるセルに対応している装置。
【請求項５１】
前記処理システムは、前記ＵＥが前記干渉を消去することが可能であるか否かに基づいて、前記ＵＥを担当するか否かを決定するようにさらに構成されている請求項５０記載の装置。
【請求項５２】
前記品質測定は、受信信号受信品質（ＲＳＲＱ）測定であり、前記報告は、無線リソース管理（ＲＲＭ）報告である請求項５０記載の装置。
【請求項５３】
前記処理システムは、第１の組のリソースを通して通信するように前記ＵＥを構成するようにさらに構成されており、
前記品質測定は、前記第１の組のリソース中で送信された信号に対応する請求項５０記載の装置。
【請求項５４】
前記処理システムは、第２の組のリソースの前記品質測定を提供するように前記ＵＥを構成するようにさらに構成されており、前記ＵＥは、前記第２の組のリソースを通して通信するように構成されておらず、前記品質測定は、前記第２の組のリソースを通して送信された信号にさらに対応する請求項５３記載の装置。
【請求項５５】
前記干渉は、セル固有基準信号（ＣＲＳ）、物理ダウンリンク共有チャネル（ＰＤＳＣＨ）、物理ダウンリンク制御チャネル（ＰＤＣＣＨ）、または、物理制御フォーマットインジケータチャネル（ＰＣＦＩＣＨ）のうちの少なくとも１つを含む請求項５０記載の装置。
【請求項５６】
前記干渉は、前記ＰＤＣＣＨまたは前記ＰＣＦＩＣＨのうちの少なくとも１つを含み、
前記処理システムは、前記ＵＥによって前記ＰＤＣＣＨ／ＰＣＦＩＣＨを受信した各無線ネットワークに対する無線ネットワーク一時識別子（ＲＮＴＩ）と、制御チャネルエレメント（ＣＣＥ）集約レベルと、前記ＰＤＣＣＨ／ＰＣＦＩＣＨに対して使用されるリソースエレメント（ＲＥ）と基準信号に対して使用されるＲＥとの間の相対的な電力比とのうちの少なくとも１つを含む情報を送信するようにさらに構成されている請求項５５記載の装置。
【請求項５７】
前記処理システムは、前記干渉を持つ前記送信信号の品質測定を含む第２の報告を受信するようにさらに構成されている請求項５０記載の装置。
【請求項５８】
コンピュータ実行可能命令を有するコンピュータ読取可能記憶媒体において、
前記コンピュータ実行可能命令は、コンピュータによって実行される際に、
品質測定および通信のための第１の組のリソースを識別する第１のコンフィギュレーション情報を受信させるためのコードと、
前記コンピュータに、干渉を消去すべき少なくとも１つの隣接セルに対応しているセル識別子のリストを、担当セルから受信させるためのコードと、
前記コンピュータに、前記セル識別子のリストの受信に基づき、前記セル識別子のうちの１つ以上に対応する前記少なくとも１つの隣接セルから受信した干渉を、受信した信号から除去させるためのコードと、
前記コンピュータに前記干渉を持たない受信信号の品質測定を含む報告を送信させるためのコードと、を含み、
前記品質測定は、前記受信信号中の前記第１の組のリソースの測定に対応するコンピュータ読取可能記憶媒体。
【請求項５９】
コンピュータ実行可能命令を有するコンピュータ読取可能記憶媒体において、
前記コンピュータ実行可能命令は、コンピュータによって実行される際に、
前記コンピュータに少なくとも１つのセル識別子をユーザ機器（ＵＥ）に送信させるためのコードと、
前記コンピュータに前記ＵＥに信号を送信させるためのコードと、
前記コンピュータに前記送信信号の品質測定を含む報告を受信させるためのコードと、
前記コンピュータに前記送信信号の前記品質測定が、干渉を持たない前記送信信号に対応するか否かに基づいて、ＵＥが前記干渉を消去することが可能であるか否かを決定させるためのコードとを含み、
各セル識別子は、その送信信号が干渉消去のために識別されるセルに対応しているコンピュータ読取可能記憶媒体。
【発明の詳細な説明】
【関連出願に対する相互参照】
【０００１】
本出願は、“ＵＥの干渉抑制能力を測定報告から推測するための方法および装置”と題され、２０１０年４月１３日に出願され、ここでの参照によりそのすべてが明示的に組み込まれている、米国仮出願シリアル番号第６１／３２３，７６６号の利益を主張する。
【分野】
【０００２】
本開示は、一般的に通信システムに関し、さらに詳細には、無線リソース測定（ＲＲＭ）報告から、ユーザ機器の干渉抑制能力を推測することに関する。
【背景】
【０００３】
ワイヤレス通信システムは、電話技術、ビデオ、データ、メッセージング、および、ブロードキャストのような、さまざまな電気通信サービスを提供するように、幅広く展開されている。典型的なワイヤレス通信システムは、利用可能なシステムリソース（例えば、帯域幅、送信電力）を共有することにより、複数のユーザとの通信をサポートすることが可能な多元接続技術を用いてもよい。このような多元接続技術の例は、コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一搬送波周波数分割多元接続（ＳＣ−ＦＤＭＡ）システム、および、時分割同期コード分割多元接続（ＴＤ−ＳＣＤＭＡ）システムを含む。
【０００４】
これらの多元接続技術は、都市レベルで、国レベルで、地域レベルで、および、グローバルレベルでさえ、異なるワイヤレスデバイスが通信できる共通のプロトコルを提供するために、さまざまな電気通信標準規格において採用されてきた。新興の電気通信標準規格の例は、ロングタームエボリューション（ＬＴＥ）である。ＬＴＥは、第３世代パートナーシッププロジェクト（３ＧＰＰ）によって公表されているユニバーサルモバイルテレコミュニケーションシステム（ＵＭＴＳ）移動体標準規格に対する１組の向上である。ＬＴＥは、スペクトル効率性を改善することにより、モバイルブロードバンドインターネットアクセスをより良くサポートするように、コストを下げるように、サービスを改善するように、新しいスペクトルを利用するように、ダウンリンク（ＤＬ）上でＯＦＤＭＡを使用し、アップリンク（ＵＬ）上でＳＣ−ＦＤＭＡを使用し、複数入力複数出力（ＭＩＭＯ）アンテナ技術を使用する他のオープンな標準規格とより良く統合するように、設計されている。しかしながら、モバイルブロードバンドアクセスに対する要求が増加し続けているので、ＬＴＥ技術におけるさらなる改善に対する必要性がある。好ましくは、これらの改善は、他の多元接続技術と、これらの技術を用いる電気通信標準規格とに適用可能であるべきである。
【概要】
【０００５】
セル固有基準信号（ＣＲＳ）、物理ダウンリンク共有チャネル（ＰＤＳＣＨ）、物理ダウンリンク制御チャネル（ＰＤＣＣＨ）、または、物理制御フォーマットインジケータチャネル（ＰＣＦＩＣＨ）から干渉を消去することができるユーザ機器（ＵＥ）は、担当進化型ノードＢ（ｅＮＢ）に明示的に能力をシグナリングすることなく、干渉を消去することができる。担当ｅＮＢは、どのセルからの干渉を消去すべきかを示す複数のセル識別子をＵＥに送信してもよい。ＵＥは、ＣＲＳ、ＰＤＳＣＨ、ＰＤＣＣＨ、または、ＰＣＦＩＣＨを担当ｅＮＢから受信して、ｅＮＢから受信した信号から、ＣＲＳ、ＰＤＳＣＨ、ＰＤＣＣＨ、または、ＰＣＦＩＣＨの干渉をそれぞれ消去する。ＵＥは、セル識別子に対応するセルからの干渉を消去する。その後、ＵＥは、干渉を持たない品質測定とともに、ｅＮＢに報告を送信してもよい。
【０００６】
本開示のある態様では、少なくとも１つのセル識別子を受信する、ワイヤレス通信のための方法、装置、および、コンピュータプログラム製品が提供されている。各セル識別子は、そこからの干渉を消去すべきセルに対応している。加えて、少なくとも１つのセル識別子のうちの１つ以上に対応するセルから受信した干渉が、受信した信号から除去される。さらに、干渉を持たない受信信号の品質測定を含む報告が送信される。
【０００７】
本開示のある態様では、少なくとも１つのセル識別子をユーザ機器に送信する、ワイヤレス通信のための方法、装置、および、コンピュータプログラム製品が提供されている。各セル識別子は、そこからの干渉を消去すべきセルに対応している。加えて、信号が、ユーザ機器に送信される。さらに、干渉を持たない送信信号の品質測定を含む報告が受信される。
【０００８】
本開示のある態様では、情報を受信する、ワイヤレス通信のための方法、装置、および、コンピュータプログラム製品が提供されている。情報は、物理ダウンリンク制御チャネルまたは物理制御フォーマットインジケータチャネルのうちの少なくとも１つをそこから受信した各無線ネットワークに対する無線ネットワーク一時識別子と、制御チャネルエレメント集約レベルと、物理ダウンリンク制御チャネルまたは物理制御フォーマットインジケータチャネルのうちの少なくとも１つに対して使用されるリソースエレメントと基準信号に対して使用されるリソースエレメントとの間の相対的な電力比とを含む。加えて、干渉は、情報に基づいて消去される。
【図面の簡単な説明】
【０００９】
【図１】図１は、処理システムを用いる装置に対するハードウェアインプリメンテーションの例を図示したダイヤグラムである。
【図２】図２は、ネットワークアーキテクチャの例を図示したダイヤグラムである。
【図３】図３は、アクセスネットワークの例を図示したダイヤグラムである。
【図４】図４は、アクセスネットワーク中で使用するためのフレーム構造の例を図示したダイヤグラムである。
【図５】図５は、ＬＴＥにおける、ＵＬに対する例示的なフォーマットを示している。
【図６】図６は、ユーザプレーンおよび制御プレーンに対する無線プロトコルアーキテクチャの例を図示したダイヤグラムである。
【図７】図７は、アクセスネットワーク中の進化型ノードＢおよびユーザ機器の例を図示したダイヤグラムである。
【図８】図８は、例示的な方法を説明するためのダイヤグラムである。
【図９】図９は、ワイヤレス通信の第１の方法のフローチャートである。
【図１０】図１０は、ワイヤレス通信の第２の方法のフローチャートである。
【図１１】図１１は、ワイヤレス通信の第３の方法のフローチャートである。
【図１２】図１２は、ワイヤレス通信の第４の方法のフローチャートである。
【図１３】図１３は、第１の例示的な装置の機能性を図示した、概念的なブロックダイヤグラムである。
【図１４】図１４は、ワイヤレス通信の第５の方法のフローチャートである。
【図１５】図１５は、第２の例示的な装置の機能性を図示した、概念的なブロックダイヤグラムである。
【詳細な説明】
【００１０】
添付した図に関連して以下で述べる詳細な説明は、さまざまなコンフィギュレーションの説明として意図されており、ここで説明する概念を実施してもよいコンフィギュレーションのみを表すことを意図していない。詳細な説明は、さまざまな概念の完全な理解を提供する目的のために、特定の細部を含んでいる。しかしながら、これらの特定の細部がなくとも、これらの概念を実施できることは、当業者にとって明らかだろう。いくつかの例では、このような概念が曖昧になるのを避けるために、よく知られている構造およびコンポーネントを、ブロックダイヤグラムの形で示している。
【００１１】
さまざまな装置および方法を参照して、電気通信システムのいくつかの態様をここで提示する。これらの装置および方法を、以下の詳細な説明において説明し、さまざまなブロック、モジュール、コンポーネント、回路、ステップ、プロセス、アルゴリズム等（まとめて“エレメント”と呼ぶ）によって、添付の図面において図示した。これらのエレメントは、電子ハードウェア、コンピュータソフトウェア、または、これらの任意の組み合わせを使用して実現されてもよい。このようなエレメントが、ハードウェアまたはソフトウェアとして実現されるか否かは、特定の応用およびシステム全体に課せられた設計の制約に依存する。
【００１２】
一例として、エレメント、または、エレメントの任意の一部、あるいは、エレメントの任意の組み合わせは、１つ以上のプロセッサを備える“処理システム”により実現されてもよい。プロセッサの例は、マイクロプロセッサと、マイクロ制御装置と、デジタル信号プロセッサ（ＤＳＰ）と、フィールドプログラム可能ゲートアレイ（ＦＰＧＡ）と、プログラム可能論理デバイス（ＰＬＤ）と、状態機械と、ゲート論理と、ディスクリートハードウェア回路と、本開示全体を通して説明するさまざまな機能性を実行するように構成されている他の適切なハードウェアとを含む。処理システム中の１つ以上のプロセッサは、ソフトウェアを実行してもよい。ソフトウェア、ファームウェア、ミドルウェア、マイクロコード、ハードウェア記述言語、または、その他のものと呼ばれるか否かにかかわらず、ソフトウェアは、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行のスレッド、手順、関数等を意味するように広く解釈すべきである。ソフトウェアは、コンピュータ読取可能媒体上に存在してもよい。コンピュータ読取可能媒体は、一時的でないコンピュータ読取可能媒体であってもよい。一時的でないコンピュータ読取可能媒体は、一例として、磁気記憶デバイス（例えば、ハードディスク、フロッピー（登録商標）ディスク、磁気ストリップ）と、光ディスク（例えば、コンパクトディスク（ＣＤ）、デジタル多用途ディスク（ＤＶＤ））と、スマートカードと、フラッシュメモリデバイス（例えば、カード、スティック、キードライブ）と、ランダムアクセスメモリ（ＲＡＭ）と、リードオンリーメモリ（ＲＯＭ）と、プログラム可能ＲＯＭ（ＰＲＯＭ）と、消去可能ＰＲＯＭ（ＥＰＲＯＭ）と、電気的消去可能ＰＲＯＭ（ＥＥＰＲＯＭ）と、レジスタと、リムーバブルディスクと、コンピュータによってアクセスして読み取ることができるソフトウェアおよび／または命令を記憶するための他の何らかの適切な媒体とを含む。コンピュータ読取可能媒体は、処理システム中に存在してもよく、処理システムの外部に存在してもよく、または、処理システムを備える複数のエンティティにわたって分散されていてもよい。コンピュータ読取可能媒体は、コンピュータプログラム製品中で具現化されてもよい。一例として、コンピュータプログラム製品は、パッケージングマテリアル中にコンピュータ読取可能媒体を含めてもよい。当業者は、特定の応用およびシステム全体に課せられた全体の設計制約に依存して、本開示全体を通して提示し、説明する機能性を実現するのに最良の方法を認識するだろう。
【００１３】
したがって、１つ以上の例示的な実施形態では、説明する機能は、ハードウェアで、ソフトウェアで、ファームウェアで、または、これらの任意の組み合わせで、実現されてもよい。ソフトウェアで実現された場合、機能は、１つ以上の命令またはコードとして、コンピュータ読取可能媒体上に記憶またはエンコードされてもよい。コンピュータ読取可能媒体は、コンピュータ記憶媒体を含む。記憶媒体は、コンピュータによりアクセスできる何らかの利用可能な媒体であってもよい。一例として、このようなコンピュータ読取可能媒体は、これらに限定されないが、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、コンピュータによりアクセスでき、命令またはデータ構造の形態で所望のプログラムコードを搬送または記憶するために使用できる他の何らかの媒体を含むことができる。ここで使用するようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピーディスク、および、ブルーレイ（登録商標）ディスクを含んでいる。ここで、ディスク（ｄｉｓｋ）が通常、データを磁気的に再生する一方で、ディスク（ｄｉｓｃ）はデータをレーザによって光学的に再生する。先のものを組み合わせたものもまた、コンピュータ読取可能媒体の範囲内に含められるべきである。
【００１４】
図１は、処理システム１１４を用いる装置１００に対するハードウェアインプリメンテーションの例を図示した概念的なダイヤグラムである。この例では、処理システム１１４は、概してバス１０２により表されている、バスアーキテクチャにより実現されてもよい。バス１０２は、処理システム１１４の特定の応用および全体の設計制約に依存して、任意の数の相互接続バスおよびブリッジを含んでもよい。バス１０２は、概してプロセッサ１０４により表されている、１つ以上のプロセッサを含む、さまざまな回路と、概してコンピュータ読取可能媒体１０６により表されている、コンピュータ読取可能媒体とを共にリンクする。バス１０２は、タイミングソースと、周辺機器と、電圧レギュレータと、電源管理回路のような、他のさまざまな回路もリンクしてもよい。これらは、技術的によく知られているため、これ以上説明しない。バスインターフェース１０８は、バス１０２とトランシーバ１１０との間にインターフェースを提供する。トランシーバ１１０は、送信媒体を通して、他のさまざまな装置と通信する手段を提供する。装置の性質に依存して、ユーザインターフェース１１２（例えば、キーパッド、ディスプレイ、スピーカー、マイクロフォン、ジョイスティック）も提供されてもよい。
【００１５】
プロセッサ１０４は、バスの管理１０２と、コンピュータ読取可能媒体１０６上に記憶されているソフトウェアの実行を含む汎用処理とを担っている。ソフトウェアは、プロセッサ１０４によって実行されるときに、何らかの特定の装置に対して以下で説明するさまざまな機能を、処理システム１１４に実行させる。コンピュータ読取可能媒体１０６は、ソフトウェアを実行するときにプロセッサ１０４によって操作されるデータを記憶するためにも使用されてもよい。
【００１６】
図２は、さまざまな装置１００（図１参照）を用いるＬＴＥネットワークアーキテクチャ２００を図示したダイヤグラムである。ＬＴＥネットワークアーキテクチャ２００は、進化型パケットシステム（ＥＰＳ）２００と呼ばれてもよい。ＥＰＳ２００は、１つ以上のユーザ機器（ＵＥ）２０２と、進化型ＵＭＴＳ地上無線アクセスネットワーク（Ｅ−ＵＴＲＡＮ）２０４と、進化型パケットコア（ＥＰＣ）２１０と、ホーム加入者サーバ（ＨＳＳ）２２０と、オペレータのＩＰサービス２２２とを含んでもよい。ＥＰＳは、他のアクセスネットワークと相互接続できるが、簡潔さのために、これらのエンティティ／インターフェースは示していない。示したように、ＥＰＳは、パケット交換サービスを提供するが、当業者が容易に正しく認識できるように、本開示全体を通して提示するさまざまな概念を、回路交換サービスを提供するネットワークに拡張してもよい。
【００１７】
Ｅ−ＵＴＲＡＮは、進化型ノードＢ（ｅＮＢ）２０６と、他のｅＮＢ２０８とを含む。ｅＮＢ２０６は、ユーザプレーンプロトコルおよび制御プレーンプロトコルの終了をＵＥ２０２に向けて提供する。ｅＮＢ２０６は、Ｘ２インターフェース（すなわち、バックホール）またはワイヤレス送信を含むことができる、ワイヤードまたはワイヤレスのインターフェースを介して、他のｅＮＢ２０８に接続されてもよい。ｅＮＢ２０６は、当業者によって、基地局、基地トランシーバ局、無線基地局、無線トランシーバ、トランシーバ機能、ベーシックサービスセット（ＢＳＳ）、拡張サービスセット（ＥＳＳ）、または、他の何らかの適切な専門用語とも呼ばれてもよい。ｅＮＢ２０６は、ＥＰＣ２１０へのアクセスポイントをＵＥ２０２に提供する。ＵＥ２０２の例は、セルラ電話機、スマートフォン、セッション開始プロトコル（ＳＩＰ）電話機、ラップトップ、パーソナルデジタルアシスタント（ＰＤＡ）、衛星ラジオ、グローバルポジショニングシステム、マルチメディアデバイス、ビデオデバイス、デジタルオーディオプレーヤー（例えば、ＭＰ３プレーヤー）、カメラ、ゲームコンソール、または、他の何らかの類似する機能のデバイスを含む。ＵＥ２０２は、当業者によって、移動局、加入者局、移動体ユニット、加入者ユニット、ワイヤレスユニット、遠隔ユニット、移動体デバイス、ワイヤレスデバイス、ワイヤレス通信デバイス、遠隔デバイス、移動体加入者局、アクセス端末、移動体端末、ワイヤレス端末、遠隔端末、ハンドセット、ユーザエージェント、移動体クライアント、クライアント、または、他の何らかの適切な専門用語とも呼ばれてもよい。
【００１８】
ｅＮＢ２０６は、Ｓ１インターフェースを含むことができる、ワイヤードインターフェースによって、ＥＰＣ２１０に接続される。ＥＰＣ２１０は、移動性管理エンティティ（ＭＭＥ）２１２と、他のＭＭＥ２１４と、担当ゲートウェイ２１６と、パケットデータネットワーク（ＰＤＮ）ゲートウェイ２１８とを含むことができる。ＭＭＥ２１２は、ＵＥ２０２とＥＰＣ２１０との間のシグナリングを処理する制御ノードである。一般的に、ＭＭＥ２１２は、ベアラおよび接続の管理を提供する。すべてのユーザＩＰパケットは、担当ゲートウェイ２１６を通して転送され、担当ゲートウェイ２１６自体は、ＰＤＮゲートウェイ２１８に接続されている。ＰＤＮゲートウェイ２１８は、ＵＥ ＩＰアドレス割り振りとともに、他の機能も提供する。ＰＤＮゲートウェイ２１８は、オペレータのＩＰサービス２２２に接続されている。オペレータのＩＰサービス２２２は、例えば、インターネットへの、イントラネットへの、ＩＰマルチメディアサブシステム（ＩＭＳ）への、および、ＰＳストリーミングサービス（ＰＳＳ）へのアクセスを含んでもよく、あるいは、提供してもよい。
【００１９】
図３は、ＬＴＥネットワークアーキテクチャにおける、アクセスネットワークの例を図示したダイヤグラムである。この例では、アクセスネットワーク３００は、多数のセルラ領域（セル）３０２に分割される。１つ以上のより低い電力クラスｅＮＢ３０８、３１２は、セル３０２のうちの１つ以上とオーバーラップするセルラ領域３１０、３１４をそれぞれ有していてもよい。より低い電力クラスｅＮＢ３０８、３１２は、フェムトセル（例えば、ホームｅＮＢ（ＨｅＮＢ））、ピコセル、マイクロセル、または、中継器であってもよい。より高い電力クラスｅＮＢまたはマクロｅＮＢ３０４は、セル３０２に割り当てられていてもよく、セル３０２中のいくつかの部分に対して、または、セル３０２中のすべてのＵＥに対して、ＥＰＣ２１０へのアクセスポイントを提供するように構成されている。アクセスネットワーク３００のこの例では、集中型制御装置がないが、代替的なコンフィギュレーションでは、集中型制御装置を使用してもよい。ｅＮＢ３０４は、無線ベアラ制御と、アドミッション制御と、移動性制御と、スケジューリングと、セキュリティと、担当ゲートウェイ２１６への接続（図２参照）とを含む、無線関連機能を実行する。
【００２０】
アクセスネットワーク３００によって用いられる変調および多元接続スキームは、採用されている特定の電気通信標準規格に依存して変化してもよい。ＬＴＥ適用では、周波数分割複信（ＦＤＤ）および時分割複信（ＴＤＤ）の双方をサポートするために、ＤＬ上ではＯＦＤＭが使用され、ＵＬ上ではＳＣ−ＦＤＭＡが使用される。以下に続く詳細な説明から、当業者が容易に正しく認識するように、ここで提示するさまざまな概念は、ＬＴＥ適用にもよく適している。しかしながら、これらの概念は、他の変調および多元接続技術を用いる他の電気通信標準規格に容易に拡張できる。一例として、これらの概念は、エボリューションデータ最適化（ＥＶ−ＤＯ）またはウルトラモバイルブロードバンド（ＵＭＢ）に拡張できる。ＥＶ−ＤＯおよびＵＭＢは、ＣＤＭＡ２０００ファミリーの標準規格の一部として、第３世代パートナーシッププロジェクト２によって公表されているエアインターフェース標準規格であり、ＣＤＭＡを用いて、移動局にブロードバンドインターネットアクセスを提供する。これらの概念はまた、ワイドバンドＣＤＭＡ（Ｗ−ＣＤＭＡ）と、ＴＤ−ＳＣＤＭＡのようなＣＤＭＡの他の変形とを用いるユニバーサル地上無線アクセス（ＵＴＲＡ）、ＴＤＭＡを用いるグローバルシステムフォーモバイルコミュニケーション（ＧＳＭ（登録商標））、進化型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ）、ＩＥＥＥ８０２．２０、および、ＯＦＤＭＡを用いるフラッシュＯＦＤＭ（登録商標）に拡張できる。ＵＴＲＡ、Ｅ−ＵＴＲＡ、ＵＭＴＳ、ＬＴＥ、および、ＧＳＭは、３ＧＰＰ組織からの文書中に記述されている。ＣＤＭＡ２０００およびＵＭＢは、３ＧＰＰ２組織からの文書中に記述されている。用いられる、実際のワイヤレス通信標準規格および多元接続技術は、特定の応用およびシステムに課せられた全体の設計制約に依存するだろう。
【００２１】
ｅＮＢ３０４は、ＭＩＭＯ技術をサポートする複数のアンテナを有していてもよい。ＭＩＭＯ技術の使用は、ｅＮＢ３０４が、空間ドメインを活用して、空間多重化と、ビームフォーミングと、送信ダイバーシティとをサポートするのを可能にする。
【００２２】
空間多重化を使用して、異なるデータストリームを同じ周波数上で同時に送信してもよい。データストリームは、データレートを増加させるために単一のＵＥ３０６に送信されてもよく、または、システム全体の容量を増加させるために複数のＵＥ３０６に送信されてもよい。これは、各データストリームを空間的にプリコーディングし（すなわち、振幅および位相スケーリングを適用し）、その後、各空間的にプリコーディングしたストリームを、複数の送信アンテナを通してダウンリンク上で送信することによって、達成される。空間的にプリコーディングしたデータストリームは、異なる空間シグニチャを持つＵＥ３０６に到達する。異なる空間シグニチャは、ＵＥ３０６のそれぞれが、そのＵＥ３０６に向けられた１つ以上のデータストリームを回復することを可能にする。アップリンク上で、各ＵＥ３０６は、空間的にプリコーディングしたデータストリームを送信し、空間的にプリコーディングしたデータストリームは、各空間的にプリコーディングしたデータストリームのソースをｅＮＢ３０４が識別することを可能にする。
【００２３】
一般的に、チャネル条件が良好であるときに、空間多重化が使用される。チャネル条件があまり好ましくないときには、送信エネルギーを１つ以上の方向に集中させるために、ビームフォーミングが使用されてもよい。これは、複数のアンテナを通した送信のためにデータを空間的にプリコーディングすることによって、達成されてもよい。セルエッジにおける良好なカバレッジを達成するために、送信ダイバーシティと組み合わせて、単一のストリームビームフォーミング送信が使用されてもよい。
【００２４】
以下に続く詳細な説明では、ダウンリンク上でＯＦＤＭをサポートするＭＩＭＯシステムを参照して、アクセスネットワークのさまざまな態様を説明する。ＯＦＤＭは、ＯＦＤＭシンボル内の多数のサブキャリアにわたってデータを変調するスペクトル拡散技術である。サブキャリアは、正確な周波数において間隔が離れている。間隔を空けることにより、受信機が、サブキャリアからデータを回復することを可能にする“直交性”を提供する。時間ドメインでは、ＯＦＤＭ間シンボル干渉を抑制するために、各ＯＦＤＭシンボルにガードインターバル（例えば、サイクリックプリフィクス）が追加されてもよい。アップリンクは、ＤＦＴ拡散ＯＦＤＭ信号の形でＳＣ−ＦＤＭＡを使用して、高ピーク対平均電力比（ＰＡＰＲ）を補償してもよい。
【００２５】
さまざまなフレーム構造を使用して、ＤＬ送信およびＵＬ送信をサポートしてもよい。図４を参照して、ここでＤＬフレーム構造の例を提示する。しかしながら、当業者が容易に正しく認識するように、何らかの特定の応用に対するフレーム構造は、任意の数の要因に依存して、異なることがある。この例では、フレーム（１０ｍｓ）は、１０個の等しいサイズのサブフレームに分割される。各サブフレームは、２つの連続したタイムスロットを含む。
【００２６】
リソースグリッドを使用して、２つのタイムスロットを表してもよく、各タイムスロットは、リソースブロックを含む。リソースグリッドは、複数のリソースエレメントに分割される。ＬＴＥでは、リソースブロックは、周波数ドメインにおいて１２個の連続したサブキャリアを含み、各ＯＦＤＭシンボルにおける通常のサイクリックプリフィックスに対しては、時間ドメインにおいて７個の連続したＯＦＤＭシンボルを含み、すなわち、８４個のリソースエレメントを含む。Ｒ４０２、４０４として示したような、リソースエレメントのうちのいくつかは、ＤＬ基準信号（ＤＬ−ＲＳ）を含む。ＤＬ−ＲＳは、（時には、共通ＲＳとも呼ばれる）ＣＲＳ４０２と、ＵＥ固有ＲＳ（ＵＥ−ＲＳ）４０４とを含む。ＵＥ−ＲＳ４０４は、対応するＰＤＳＣＨがマッピングされているリソースブロック上でのみ送信される。各リソースエレメントによって搬送されるビットの数は、変調スキームに依存する。したがって、ＵＥが受信するリソースブロックがより多くなり、変調スキームがより高次になると、ＵＥに対するデータレートがより高くなる。
【００２７】
図５を参照して、ここでＵＬフレーム構造５００の例を提示する。図５は、ＬＴＥにおける、ＵＬに対する例示的なフォーマットを示している。ＵＬに対して利用可能なリソースブロックは、データセクションと制御セクションに区分されてもよい。制御セクションは、システム帯域幅の２つのエッジにおいて形成されてもよく、構成可能なサイズを有してもよい。制御セクション中のリソースブロックは、制御情報の送信のためにＵＥに割り当てられてもよい。データセクションは、制御セクションに含まれないすべてのリソースブロックまたはその一部を含んでもよい。図５における設計は、連続するサブキャリアを含むデータセクションを結果として生じさせ、これにより、データセクション中の連続するサブキャリアのすべてを単一のＵＥに割り当てることが可能になる。
【００２８】
ｅＮＢに制御情報を送信するために、ＵＥには、制御セクション中のリソースブロック５１０ａ、５１０ｂが割り当てられてもよい。ｅＮＢにデータを送信するために、ＵＥには、データセクション中のリソースブロック５２０ａ、５２０ｂも割り当てられてもよい。ＵＥは、制御セクション中の割り当てられたリソースブロック上の物理アップリンク制御チャネル（ＰＵＣＣＨ）中で、制御情報を送信してもよい。ＵＥは、データセクション中の割り当てられたリソースブロック上の物理アップリンク共有チャネル（ＰＵＳＣＨ）中で、データのみを、または、データおよび制御情報の双方を、送信してもよい。ＵＬ送信は、サブフレームの双方のスロットに及んでもよく、図５において示したように、周波数にわたってホップしてもよい。
【００２９】
図５において示したように、初期システムアクセスを実行して、物理ランダムアクセスチャネル（ＰＲＡＣＨ）５３０におけるＵＬ同期を達成するために、１組のリソースブロックが使用されてもよい。ＰＲＡＣＨ５３０は、ランダムシーケンスを搬送し、ＵＬデータ／シグナリングを何ら搬送できない。各ランダムアクセスプリアンブルは、６個の連続したリソースブロックに対応する帯域幅を占める。開始の周波数は、ネットワークによって特定される。すなわち、ランダムアクセスプリアンブルの送信は、ある時間およびある周波数リソースに制限される。ＰＲＡＣＨに対する周波数ホッピングはない。ＰＲＡＣＨ試行は、単一のサブフレーム（１ｍｓ）中で搬送され、ＵＥは、フレーム（１０ｍｓ）当たり単一のＰＲＡＣＨ試行のみを行うことができる。
【００３０】
無線プロトコルアーキテクチャは、特定の応用に依存して、さまざまな形態をとってもよい。図６を参照して、ここで例示的なシステムを提示する。図６は、ユーザプレーンおよび制御プレーンに対する無線プロトコルアーキテクチャの例を図示した、概念的なダイヤグラムである。
【００３１】
図６では、ＵＥおよびｅＮＢに対する無線プロトコルアーキテクチャを、レイヤ１、レイヤ２、および、レイヤ３の３つのレイヤによって示した。レイヤ１は、最下位のレイヤであり、さまざまな物理レイヤ信号処理機能を実現する。レイヤ１は、ここでは物理レイヤ６０６と呼ぶ。レイヤ２（Ｌ２レイヤ）６０８は、物理レイヤ６０６の上にあり、物理レイヤ６０６を通してのＵＥとｅＮＢとの間のリンクを担っている。
【００３２】
ユーザプレーンにおいて、Ｌ２レイヤ６０８は、媒体アクセス制御（ＭＡＣ）サブレイヤ６１０と、無線リンク制御（ＲＬＣ）サブレイヤ６１２と、パケットデータコンバージェンスプロトコル（ＰＤＣＰ）サブレイヤ６１４とを含み、これらは、ネットワーク側のｅＮＢにおいて終了する。示していないが、ＵＥは、Ｌ２レイヤ６０８の上に、いくつかの上位レイヤを有してもよく、いくつかの上位レイヤは、ネットワーク側のＰＤＮゲートウェイ２０８（図２参照）において終了するネットワークレイヤ（例えば、ＩＰレイヤ）と、接続のもう一方の端（例えば、遠隔ＵＥ、サーバ等）において終了するアプリケーションレイヤとを含む。
【００３３】
ＰＤＣＰサブレイヤ６１４は、異なる無線ベアラと論理チャネルとの間に多重化を提供し、無線送信オーバーヘッドを減少させるための、上位レイヤデータパケットに対するヘッダ圧縮と、データパケットの暗号化によるセキュリティと、ＵＥに対するｅＮＢ間でのハンドオーバーサポートとをさらに含んでもよい。ＲＬＣサブレイヤ６１２は、上位レイヤデータパケットのセグメント化および再アセンブリと、損失したデータパケットの再送信と、ハイブリッド自動反復要求（ＨＡＲＱ）に起因する順序通りでない受信を補償するための、データパケットの再順序付けとに対する機能性を含む。ＭＡＣサブレイヤ６１０は、論理チャネルとトランスポートチャネルとの間に多重化を提供し、ＵＥ間でのさまざまな無線リソース（例えば、リソースブロック）の割り振りをさらに含んでもよく、ＨＡＲＱ動作を管理してもよい。
【００３４】
制御プレーンにおいて、ＵＥおよびｅＮＢに対する無線プロトコルアーキテクチャは、制御プレーンに対するヘッダ圧縮機能がないことを例外として、物理レイヤ６０６およびＬ２レイヤ６０８に対するものと実質的に同じである。制御プレーンはまた、レイヤ３中に無線リソース制御（ＲＲＣ）サブレイヤ６１６を含む。ＲＲＣサブレイヤ６１６は、無線リソース（すなわち、無線ベアラ）を取得することと、ｅＮＢとＵＥとの間のＲＲＣシグナリングを使用して、より低いレイヤを構成することとを担っている。
【００３５】
図７は、アクセスネットワーク中でＵＥ７５０と通信しているｅＮＢ７１０のブロックダイヤグラムである。ＤＬでは、コアネットワークからの上位レイヤパケットが、制御装置／プロセッサ７７５に提供される。制御装置／プロセッサ７７５は、図６に関連して以前に説明したＬ２レイヤの機能性を実現する。ＤＬでは、制御装置／プロセッサ７７５は、ヘッダ圧縮と、暗号化と、パケットセグメント化および再順序付けと、論理チャネルとトランスポートチャネルとの間の多重化と、さまざまな優先度メトリックに基づくＵＥ７５０への無線リソース割り振りと、ＨＡＲＱ動作と、損失したパケットの再送信と、ＵＥ７５０へのシグナリングとを含む機能性を提供する。
【００３６】
ＴＸプロセッサ７１６は、Ｌ１レイヤ（すなわち、物理レイヤ）に対するさまざまな信号処理機能を実現する。信号処理機能は、ＵＥ７５０における順方向誤り訂正（ＦＥＣ）を促進するためのコーディングおよびインターリービングと、さまざまな変調スキーム（例えば、２位相シフトキーイング（ＢＰＳＫ）や、４位相シフトキーイング（ＱＰＳＫ）や、Ｍ位相シフトキーイング（Ｍ−ＰＳＫ）や、Ｍ直角位相振幅変調（Ｍ−ＱＡＭ））に基づく信号コンステレーションへのマッピングとを含む。コード化および変調されたシンボルは、その後、パラレルなストリームに分けられる。その後、各ストリームは、ＯＦＤＭサブキャリアにマッピングされ、時間および／または周波数ドメインにおいて基準信号（例えば、パイロット）と多重化され、そして、逆高速フーリエ変換（ＩＦＦＴ）を使用して共に組み合わされて、時間ドメインＯＦＤＭシンボルストリームを搬送する物理チャネルを生成させる。ＯＦＤＭストリームは、空間的にプリコーディングされて、複数の空間ストリームを生成させる。チャネル推定器７７４からのチャネル推定は、コーディングおよび変調スキームを決定するために使用されるとともに、空間処理に対しても使用される。基準信号および／またはＵＥ７５０により送信されたチャネル条件フィードバックから、チャネル推定が導出されてもよい。各空間ストリームは、その後、別々の送信機７１８ＴＸを介して異なるアンテナ７２０に提供される。各送信機７１８ＴＸは、送信のために、それぞれの空間ストリームによりＲＦ搬送波を変調する。
【００３７】
ＵＥ７５０において、各受信機７５４ＲＸは、そのそれぞれのアンテナ７５２を通して信号を受信する。各受信機７５４ＲＸは、ＲＦ搬送波上に変調された情報を回復して、その情報を受信機（ＲＸ）プロセッサ７５６に提供する。
【００３８】
ＲＸプロセッサ７５６は、Ｌ１レイヤのさまざまな信号処理機能を実現する。ＲＸプロセッサ７５６は、情報において空間処理を実行して、ＵＥ７５０に向けられた任意の空間ストリームを回復する。複数の空間ストリームがＵＥ７５０に向けられている場合に、複数の空間ストリームは、ＲＸプロセッサ７５６によって組み合わされて、単一のＯＦＤＭシンボルストリームにされてもよい。その後、ＲＸプロセッサ７５６は、高速フーリエ変換（ＦＦＴ）を使用して、ＯＦＤＭシンボルストリームを時間ドメインから周波数ドメインにコンバートする。周波数ドメイン信号は、ＯＦＤＭ信号の各サブキャリアに対する別々のＯＦＤＭシンボルストリームを含む。各サブキャリア上のシンボルおよび基準信号は、ｅＮＢ７１０によって送信された可能性が最も高い信号コンステレーションポイントを決定することによって、回復および復調される。これらの軟判定は、チャネル推定器７５８により計算されるチャネル推定に基づいていてもよい。その後、軟判定は、物理チャネル上でｅＮＢ７１０によって元々送信されたデータおよび制御信号を回復するために、デコードおよびデインターリーブされる。その後、データおよび制御信号が、制御装置／プロセッサ７５９に提供される。
【００３９】
制御装置／プロセッサ７５９は、図６に関連して以前に説明したＬ２レイヤを実現する。ＵＬでは、制御装置／プロセッサ７５９は、トランスポートチャネルと論理チャネルとの間のデマルチプレキシング、パケット再アセンブリ、復号、ヘッダ伸張、コアネットワークからの上位レイヤパケットを回復するための制御信号処理を含む機能性を提供する。その後、上位レイヤパケットは、Ｌ２レイヤより上のすべてのプロトコルレイヤを表すデータシンク７６２に提供される。さまざまな制御信号も、Ｌ３処理のためにデータシンク７６２に提供されてもよい。制御装置／プロセッサ７５９は、ＨＡＲＱ動作をサポートするために、肯定応答（ＡＣＫ）および／または否定応答（ＮＡＣＫ）プロトコルを使用してエラー検出することも担っている。
【００４０】
ＵＬでは、データソース７６７を使用して、制御装置／プロセッサ７５９に上位レイヤパケットを提供する。データソース７６７は、Ｌ２レイヤ（Ｌ２）より上のすべてのプロトコルレイヤを表す。ｅＮＢ７１０によるＤＬ送信に関連して説明した機能性と同様に、制御装置／プロセッサ７５９は、ヘッダ圧縮と、暗号化と、パケットセグメント化および再順序付けと、ｅＮＢ７１０による無線リソース割り振りに基づく、論理チャネルとトランスポートチャネルとの間の多重化とを提供することにより、ユーザプレーンおよび制御プレーンに対するＬ２レイヤを実現する。制御装置／プロセッサ７５９はまた、ＨＡＲＱ動作と、損失したパケットの再送信と、ｅＮＢ７１０へのシグナリングとを担っている。
【００４１】
基準信号またはｅＮＢ７１０により送信されたフィードバックから、チャネル推定器７５８によって導出されたチャネル推定は、適切なコーディングおよび変調スキームを選択するために、および、空間処理を促進するために、ＴＸプロセッサ７６８によって使用されてもよい。ＴＸプロセッサ７６８によって発生された空間ストリームは、別々の送信機７５４ＴＸを介して異なるアンテナ７５２に提供される。各送信機７５４ＴＸは、送信のために、それぞれの空間ストリームによりＲＦ搬送波を変調する。
【００４２】
ＵＬ送信は、ＵＥ７５０における受信機機能に関連して説明したものと同様の方法で、ｅＮＢ７１０において処理される。各受信機７１８ＲＸは、そのそれぞれのアンテナ７２０を通して信号を受信する。各受信機７１８Ｘは、ＲＦ搬送波上に変調された情報を回復して、その情報をＲＸプロセッサ７７０に提供する。ＲＸプロセッサ７７０は、Ｌ１レイヤを実現する。
【００４３】
制御装置／プロセッサ７７５は、図６に関連して以前に説明したＬ２レイヤを実現する。ＵＬでは、制御装置／プロセッサ７７５は、トランスポートチャネルと論理チャネルとの間のデマルチプレキシング、パケット再アセンブリ、復号、ヘッダ伸張、ＵＥ７５０からの上位レイヤパケットを回復するための制御信号処理を提供する。制御装置／プロセッサ７７５からの上位レイヤパケットは、コアネットワークに提供されてもよい。制御装置／プロセッサ７７５は、ＨＡＲＱ動作をサポートするために、ＡＣＫおよび／またはＮＡＣＫプロトコルを使用してエラー検出することも担っている。
【００４４】
１つ以上のコンフィギュレーションでは、図１に関して説明した処理システム１１４は、ｅＮＢ７１０を含む。特に、処理システム１１４は、ＴＸプロセッサ７１６と、ＲＸプロセッサ７７０と、制御装置／プロセッサ７７５とを含む。別のコンフィギュレーションでは、図１に関して説明した処理システム１１４は、ＵＥ７５０を含む。特に、処理システム１１４は、ＴＸプロセッサ７６８と、ＲＸプロセッサ７５６と、制御装置／プロセッサ７５９とを含む。例示的な方法にしたがって、ｅＮＢは、ＵＥによって送信されたＲＲＭ報告に基づいて、送信されたＣＲＳ、ＰＤＳＣＨ、ＰＤＣＣＨ、または、ＰＣＦＩＣＨからの干渉をＵＥが消去できるか否かを、明示的なシグナリングなしに、決定する。ＵＥが干渉を消去できないときに、ＵＥは、消去される干渉を持たない品質測定を含むＲＲＭ報告を送る。ＵＥが干渉を消去できるときに、ＵＥは、消去される干渉を持つ品質測定を含むＲＲＭ報告を送る。例示的な方法にしたがって、ｅＮＢは、ＲＲＭ報告に基づいて、ＵＥの干渉抑制能力を推測できる。図８に関して、例示的な方法をさらに説明する。
【００４５】
図８は、担当ｅＮＢに明示的に能力をシグナリングすることのない、ＵＥによる干渉の自動消去に関する例示的な方法を図示するためのダイヤグラム８００である。図８において示したように、ｅＮＢ８０２によって担当されているＵＥ８０６は、ＣＲＳ、ＰＤＳＣＨ、ＰＤＣＣＨ、および／または、ＰＣＦＩＣＨの干渉を抑制することが可能である。ＵＥ８０６は、セルのセル識別子リスト８０８中の少なくとも１つのセル識別子を提供するコンフィギュレーション情報を受信する。ＵＥ８０６は、その後、セル識別子リスト８０８中のセルに対応する干渉を消去しようと試みてもよい。例えば、隣接するｅＮＢ８０４のセル識別子が、セル識別子リスト８０８中にあると仮定すると、ＵＥ８０６は、ｅＮＢ８０４を検出しようと試みる。ＵＥ８０６は、ｅＮＢ８０４からの同期信号の使用により、ｅＮＢ８０４を検出してもよい。ＬＴＥの例では、ＵＥ８０６は、ｅＮＢ８０４から送信された、１次同期信号（ＰＳＳ）および／または２次同期信号（ＳＳＳ）を使用してもよい。ｅＮＢ８０４から受信した同期信号が弱い信号である場合に、ＵＥ８０６は、ｅＮＢ８０４を検出するために、より強いセルから受信したより強い同期信号により生じる干渉を消去してもよい。ＬＴＥの例では、ＵＥ８０６は、ｅＮＢ８０４からＰＳＳ／ＳＳＳを受信して、ｅＮＢ８０４からのＰＳＳ／ＳＳＳを検出するために、ｅＮＢ８２０からの干渉ＰＳＳ／ＳＳＳを消去してもよい。ＵＥ８０６が、ｅＮＢ８０４によって送信されたＰＳＳ／ＳＳＳによりｅＮＢ８０４を検出できない場合に、ＵＥ８０６は、ｅＮＢ８０４からのポジショニング基準信号（ＰＲＳ）に基づいて、ｅＮＢ８０４を検出してもよい。
【００４６】
代替的に、ＵＥ８０６は、ｅＮＢ８０４によって送信されたブロードキャストチャネルにより（例えば、ＬＴＥでは、物理ブロードキャストチャネル（ＰＢＣＨ）を使用して）、ｅＮＢ８０４を検出してもよい。このようなコンフィギュレーションでは、ｅＮＢ８０４から受信したＰＢＣＨが弱い信号である場合に、ＵＥ８０６は、ｅＮＢ８０４を検出するために、別のセルから受信したより強いＰＢＣＨによる干渉を消去してもよい。例えば、ＵＥ８０６は、ｅＮＢ８０４からＰＢＣＨを受信して、ｅＮＢ８２０から受信した干渉ＰＢＣＨを消去してもよい。
【００４７】
さらに別の代替実施形態では、ＵＥ８０６は、ｅＮＢ８０４から直接送信されたＰＢＣＨに基づいて、ｅＮＢ８０４を検出するのではなく、ｅＮＢ８０２によって受信されたＰＢＣＨに基づいて、ｅＮＢ８０４を検出してもよい。このようなコンフィギュレーションでは、ｅＮＢ８０２は、トンネリングスキームにより、ｅＮＢ８０４に対応するＰＢＣＨを受信してもよく、それにより、ｅＮＢ８０２は、ｅＮＢ８０４のＰＢＣＨをＵＥ８０６に送信する。
【００４８】
ＵＥ８０６がｅＮＢ８０４を検出した後で、ＵＥは、信号８１２により生じる干渉を信号８１０から消去できる。信号８１０、８１２は、ＣＲＳ、ＰＤＳＣＨ、ＰＤＣＣＨ、または、ＰＣＦＩＣＨであってもよい。ＵＥ８０６は、干渉消去を実行するための信号のタイプを識別するコンフィギュレーション情報を受信してもよい。例えば、ＵＥ８０６は、受信したＰＤＳＣＨ、ＰＤＣＣＨ、または、ＰＣＦＩＣＨに対してではなく、受信したＣＲＳに対する干渉を抑制するように構成されていてもよい。ＵＥは、信号８１０の受信信号受信電力（ＲＳＲＰ）を決定する８１４。信号８１２による干渉を信号８１０から消去した後に、ＵＥ８０６は、信号８１０の受信信号受信品質（ＲＳＲＱ）も決定してもよい８１４。ＲＳＲＱ測定は、その上でＵＥ８０６が通信するように構成されているリソース中で受信した信号に対応していてもよい。ＲＳＲＱ測定は、すべてのＤＬリソースおよび／または複数組のリソースのような、その上でＵＥ８０６が通信するように構成されていないリソース中で受信した信号に対応していてもよい。ＲＳＲＱは、受信信号強度インジケータ（ＲＳＳＩ）によって除算された受信信号受信電力（ＲＳＲＰ）に等しい。干渉消去は、ＲＳＳＩ値に影響を及ぼす。ＲＳＲＱを決定した後に、ＵＥ８０６は、干渉８１２を持たない受信信号８１０のＲＳＲＱを含むＲＲＭ報告８１６を送信する。ＵＥはまた、受信信号８１０のＲＳＲＰと、干渉信号８１２のＲＳＲＰとを送信する。ＵＥ８０６はまた、干渉８１２を持つ信号８１０のＲＳＲＱを含むＲＲＭ報告８１８を送信してもよい。
【００４９】
先に論じたように、信号８１０、８１２は、ＰＤＣＣＨまたはＰＣＦＩＣＨであってもよい。信号ＰＤＣＣＨ／ＰＣＦＩＣＨを使用して、ページング情報、システム情報、または、他の情報をスケジュールしてもよい。信号８１０、８１２がＰＤＣＣＨまたはＰＣＦＩＣＨである場合に、ｅＮＢ８０２は、ＰＤＣＣＨ／ＰＣＦＩＣＨをそこから受信した各無線ネットワークに対する無線ネットワーク一時識別子（ＲＮＴＩ）と、制御チャネルエレメント（ＣＣＥ）集約レベルと、ＰＤＣＣＨ／ＰＣＦＩＣＨに対して使用されるリソースエレメント（ＲＥ）と基準信号に対して使用されるＲＥとの間の相対的な電力比とのうちの少なくとも１つを、ＵＥ８０６に送信するだろう。受信した情報に基づいて、ＵＥ８０６は、信号８１２により生じる干渉を受信信号８１０から消去してもよい。干渉が個別のデータによって生じる場合に、干渉は、空間技術により抑制されてもよい。
【００５０】
ｅＮＢ８０２は、ＲＲＭ報告８１６を受信してもよい。ＲＲＭ報告８１６に基づいて、ｅＮＢ８０２は、ＵＥ８０６が干渉８１２を消去することが可能か否かを決定して、ＵＥ８０６を担当するか否かを決定する８２２。例えば、ｅＮＢ８０２は、信号８１０のＲＳＲＰと、干渉信号８１２のＲＳＲＰとを比較してもよい。隣接するｅＮＢ８０４からの干渉信号８１２のＲＳＲＰが、担当ｅＮＢ８０２からの信号８１０のＲＳＲＰよりも大きく、信号８１０のＲＳＲＱがゼロよりも大きいときに、ｅＮＢ８０２は、ＵＥ８０６が、干渉信号８１２を信号８１０から消去することが可能であることを推測できる。ＵＥ８０６が干渉８１２を消去できる場合には、ＵＥ８０６がセルエッジ８２４上にあるときでさえ、ｅＮＢ８０２は、ＵＥ８０６を担当し続けることを決定してもよい。そのため、ＵＥ８０６が、ＣＲＳ、ＰＤＳＣＨ、ＰＤＣＣＨ、および／または、ＰＣＦＩＣＨの干渉を抑制することが可能であることをｅＮＢ８０２が決定したときに、ｅＮＢ８０２は、ＵＥ８０６がｅＮＢ８０２から非常に遠くにあるとき、ＵＥ８０６を担当できることがある。
【００５１】
図９は、担当ｅＮＢに明示的に能力をシグナリングすることのない、ＵＥによる干渉の自動消去に関する第１の方法のフローチャート９００である。方法は、ＵＥ８０６のような、ＵＥによって実行される。方法にしたがって、ＵＥは、送信用の第１の組のリソースを識別するコンフィギュレーション情報を受信する（９０２）。ＵＥは、その上でＵＥが送信しないことがある第２の組のリソースに関する品質測定をＵＥが提供すべきであることを示すコンフィギュレーション情報も受信してもよい（９０４）。第２の組のリソースは、いくつかのまたはすべてのＤＬリソースならびに／あるいは複数組のリソースを含んでもよい。ＵＥが、ＰＤＣＣＨ／ＰＣＦＩＣＨ干渉を抑制することになる場合に、ＵＥは、そこからのＰＤＣＣＨ／ＰＣＦＩＣＨ干渉を抑制すべき各無線ネットワークに対するＲＮＴＩを含むコンフィギュレーション情報も受信してもよい（９０６）。コンフィギュレーション情報は、ＣＣＥ集約レベルと、ＰＤＣＣＨ／ＰＣＦＩＣＨに対して使用されるＲＥと基準信号に対して使用されるＲＥとの間の相対的な電力比とを含んでもよい。ＵＥは、担当ｅＮＢから少なくとも１つのセル識別子を受信する（９０８）。各セル識別子は、そこからの干渉を消去すべきセルに対応している。ＵＥは、少なくとも１つのセル識別子のうちの１つ以上に対応するセルから受信した干渉を、受信した信号から除去する（９１０）。その後、ＵＥは、干渉を持たない受信信号の品質測定を含む報告を送信する（９１２）。品質測定は、第１の組のリソースを通して受信した信号に対応し、第２の組のリソースに関する品質測定を提供するようにＵＥが構成されている場合には、第２の組のリソースを通して受信した信号に対応してもよい（９１２）。
【００５２】
図１０は、担当ｅＮＢに明示的に能力をシグナリングすることのない、ＵＥによる干渉の自動消去に関する第２の方法のフローチャート１０００である。方法は、ＵＥ８０６のような、ＵＥによって実行される。方法にしたがって、ＵＥは、少なくとも１つのセル識別子を受信する（１００２）。各セル識別子は、そこからの干渉を消去すべきセルに対応している。ＵＥは、少なくとも１つのセル識別子のうちの１つ以上に対応するセルからの干渉を受信信号中で消去または抑制する（１００４）。その後、ＵＥは、干渉を持たない受信信号の品質測定を含む報告を送信する（１００６）。ＵＥは、干渉を持つ受信信号の品質測定を含む第２の報告も送信してもよい（１００８）。
【００５３】
図１１は、ワイヤレス通信の第３の方法のフローチャート１１００である。方法は、ＵＥ８０６のような、ＵＥによって実行される。方法にしたがって、ＵＥは、少なくとも１つのセル識別子を受信する（１１０２）。各セル識別子は、そこからの干渉を消去すべきセルに対応している。ＵＥは、少なくとも１つのセル識別子のうちの１つに対応するセルを検出する。この検出は、受信したＰＳＳ／ＳＳＳ、ＰＲＳ、または、ＰＢＣＨにより実行されてもよい（１１０４）。その後、少なくとも１つのセル識別子のうちの１つ以上に対応する検出したセルからの干渉を、受信信号中で消去または抑制する（１１０６）。その後、ＵＥは、干渉を持たない受信信号の品質測定を含む報告を送信する（１１０８）。
【００５４】
１つのコンフィギュレーションでは、ＵＥは、少なくとも１つのセル識別子のうちの１つに対応するセルから、少なくとも１つの同期信号（例えば、ＰＳＳまたはＳＳＳ）を受信する。加えて、ＵＥは、追加で受信した同期信号により生じる干渉を消去してもよい。同期シグナリングを使用して、セルを検出できないときに、ＵＥは、ＰＲＳに基づいて、少なくとも１つのセル識別子のうちの１つに対応するセルを検出してもよい。代替的なコンフィギュレーションでは、ＵＥは、少なくとも１つのセル識別子のうちの１つに対応するセルから、ＰＢＣＨを受信する。加えて、ＵＥは、セルを検出するために、追加で受信したＰＢＣＨにより生じる干渉を消去または抑制してもよい。さらなるコンフィギュレーションでは、ＵＥは、担当セルから受信した、隣接セルのＰＢＣＨに基づいて、少なくとも１つのセル識別子のうちの１つに対応するセルを検出してもよい。
【００５５】
図１２は、ワイヤレス通信の第４の方法のフローチャート１２００である。方法は、ＵＥ８０６のような、ＵＥによって実行される。方法にしたがって、ＵＥは、ＰＤＣＣＨまたはＰＣＦＩＣＨのうちの少なくとも１つをそこから受信した各無線ネットワークに対するＲＮＴＩと、ＣＣＥ集約レベルと、ＰＤＣＣＨまたはＰＣＦＩＣＨのうちの少なくとも１つに対して使用されるＲＥと基準信号に対して使用されるＲＥとの間の相対的な電力比とのうちの少なくとも１つを含んでもよい情報を受信する（１２０２）。ＵＥは、ＰＤＣＣＨまたはＰＣＦＩＣＨのうちの少なくとも１つをそこから受信した各無線ネットワークのうちの少なくとも１つから、干渉を受信する（１２０４）。ＵＥは、情報に基づいて、受信信号（すなわち、担当ｅＮＢから受信したＰＤＣＣＨおよび／またはＰＣＦＩＣＨ信号）中の干渉を消去する（１２０６）。
【００５６】
図１３は、第１の例示的な装置１００の機能性を図示した、概念的なブロックダイヤグラム１３００である。ＵＥであってもよい装置１００は、干渉セルを検出するモジュール１３０２を含む。セル検出モジュール１３０２は、ｅＮＢによって提供されるセル識別子に関係付けられているセルを検出する。信号消去モジュール１３０４は、担当ｅＮＢからの信号を受信する。担当ｅＮＢからの信号は、１つ以上の隣接セルからの干渉を含む。信号消去モジュール１３０４は、セル検出モジュール１３０２によって検出された隣接セルからの干渉を、消去し、除去し、または、そうでなければ、抑制する。信号消去モジュール１３０４は、干渉抑制を可能にするためのコンフィギュレーション情報を受信してもよい。例えば、受信信号が、ＰＤＣＣＨまたはＰＣＦＩＣＨのうちの１つであるときに、信号消去モジュール１３０４は、ＰＤＣＣＨまたはＰＣＦＩＣＨのうちの少なくとも１つをそこから受信した各無線ネットワークに対するＲＮＴＩと、ＣＣＥ集約レベルと、ＰＤＣＣＨまたはＰＣＦＩＣＨのうちの少なくとも１つに対して使用されるＲＥと基準信号に対して使用されるＲＥとの間の相対的な電力比とを含む情報を受信してもよい。信号測定モジュール１３０６は、修正された受信信号を受け取って、品質測定を提供する。品質測定は、受信したコンフィギュレーション情報に基づいて構成されている１組のリソースに対するものである。装置１００は、先述したフローチャート図９〜図１２におけるステップのそれぞれを実行する追加モジュールを含んでもよい。そのため、先述したフローチャート図９〜図１２における各ステップは、モジュールによって実行されてもよく、装置１００は、これらのモジュールのうちの１つ以上を含んでもよい。
【００５７】
図１４は、ワイヤレス通信の第５の方法のフローチャート１４００である。方法は、ｅＮＢ８０２のような、ｅＮＢによって実行される。方法にしたがって、ｅＮＢは、第１の組のリソースを通して通信するようにＵＥを構成する（１４０２）。ｅＮＢは、少なくとも１つのセル識別子をＵＥに送信する（１４０４）。各セル識別子は、そこからの干渉を消去すべきセルに対応している。ｅＮＢは、ＵＥに信号を送信する（１４０６）。信号は、ＣＲＳ、ＰＤＳＣＨ、ＰＤＣＣＨ、または、ＰＣＦＩＣＨのうちの少なくとも１つであってもよい。ｅＮＢは、送信した信号の品質測定を含む報告を受信する（１４０８）。品質測定は、第１の組のリソース中で送信された信号に対応していてもよい。ｅＮＢは、その後、受信した報告に基づいて、ＵＥが干渉を消去することが可能であるか否かを決定する（１４１０）。ｅＮＢは、その後、ＵＥが干渉を消去することが可能か否かに基づいて、ＵＥを担当するか否かを決定してもよい（１４１２）。
【００５８】
品質測定は、ＲＳＲＱ測定であってもよく、報告は、ＲＲＭ報告であってもよい。ｅＮＢは、第２の組のリソースを通して通信するようにＵＥを構成することなく、第２の組のリソースに関する品質測定を提供するように、ＵＥを構成してもよい。このようなコンフィギュレーションでは、品質測定はまた、第２の組のリソース中で送信された信号に対するものである。干渉が、ＰＤＣＣＨまたはＰＣＦＩＣＨのうちの少なくとも１つであるときに、ｅＮＢは、ＰＤＣＣＨ／ＰＣＦＩＣＨをＵＥによってそこから受信した各無線ネットワークに対するＲＮＴＩと、ＣＣＥ集約レベルと、ＰＤＣＣＨ／ＰＣＦＩＣＨに対して使用されるＲＥと基準信号に対して使用されるＲＥとの間の相対的な電力比とを含む情報も、ＵＥに送信してもよい。ｅＮＢは、干渉を持つ送信信号の品質測定を含む第２の報告も受信してもよい。
【００５９】
図１５は、第２の例示的な装置１００の機能性を図示した、概念的なブロックダイヤグラム１５００である。ｅＮＢであってもよい装置１００は、隣接ｅＮＢリストを受信して、そこからの干渉をＵＥが消去すべきセルを識別する隣接セル識別子モジュール１５０２を含む。識別したセルに関係付けられているセル識別子は、Ｔｘ／Ｒｘモジュール１５０８に提供され、Ｔｘ／Ｒｘモジュール１５０８は、ＵＥ１５１０にそのセル識別子を提供する。Ｔｘ／Ｒｘモジュール１５０８は、ＵＥ１５１０から測定報告を受信する。測定報告解析器１５０４は、測定報告を受信して、測定報告に基づいて、識別したセルからの干渉を、ＵＥ１５１０が、消去、除去、または、そうでなければ、抑制することが可能であるか否かを決定する。ＵＥサービスモジュール１５０６は、ＵＥ１５１０が干渉を消去することが可能か否かに基づいて、ＵＥ１５１０を担当するか否かを決定する。
【００６０】
図１および図７を参照して、１つのコンフィギュレーションでは、ワイヤレス通信のための装置１００は、少なくとも１つのセル識別子を受信する手段を具備する。各セル識別子は、そこからの干渉を消去すべきセルに対応している。装置１００は、少なくとも１つのセル識別子のうちの１つ以上に対応するセルから受信した干渉を、受信信号から除去する手段をさらに具備する。装置１００は、干渉を持たない受信信号の品質測定を含む報告を送信する手段をさらに具備する。装置１００は、コンフィギュレーション情報を受信する手段をさらに具備する。コンフィギュレーション情報は、品質測定および通信に対する第１の組のリソースを識別する。装置１００は、第２のコンフィギュレーション情報を受信する手段をさらに具備する。第２のコンフィギュレーション情報は、品質測定に対する第２の組のリソースを識別する。１つのコンフィギュレーションでは、干渉は、ＰＤＣＣＨまたはＰＣＦＩＣＨのうちの少なくとも１つである。装置１００は、ＰＤＣＣＨ／ＰＣＦＩＣＨをそこから受信した各無線ネットワークに対するＲＮＴＩと、ＣＣＥ集約レベルと、ＰＤＣＣＨ／ＰＣＦＩＣＨに対して使用されるＲＥと基準信号に対して使用されるＲＥとの間の相対的な電力比とを含む情報を受信する手段をさらに具備する。干渉は、受信した情報に基づいて、受信信号から除去される。装置１００は、干渉を持つ受信信号の品質測定を含む第２の報告を送信する手段をさらに具備する。装置１００は、少なくとも１つのセル識別子のうちの１つに対応するセルから、少なくとも１つの同期信号を受信する手段と、受信した少なくとも１つの同期信号から、追加で受信した同期信号の干渉を除去する手段と、追加で受信した同期信号に対応する干渉を持たない少なくとも１つの同期信号に基づいて、セルを検出する手段とをさらに具備する。装置１００は、ＰＲＳに基づいて、少なくとも１つのセル識別子のうちの１つに対応するセルを検出する手段をさらに具備する。装置１００は、少なくとも１つのセル識別子のうちの１つに対応するセルからＰＢＣＨを受信する手段と、受信したＰＢＣＨから、追加で受信したＰＢＣＨの干渉を除去する手段と、追加で受信したＰＢＣＨの干渉を持たないＰＢＣＨに基づいて、セルを検出する手段とをさらに具備する。装置１００は、担当セルから受信した隣接セルのＰＢＣＨに基づいて、少なくとも１つのセル識別子のうちの１つに対応するセルを検出する手段をさらに具備する。先述した手段は、先述した手段によって規定されている機能を実行するように構成されている処理システム１１４である。先に説明したように、処理システム１１４は、ＴＸプロセッサ７６８と、ＲＸプロセッサ７５６と、制御装置／プロセッサ７５９とを備える。そのため、１つのコンフィギュレーションでは、先述した手段は、先述した手段によって規定されている機能を実行するように構成されている、ＴＸプロセッサ７６８と、ＲＸプロセッサ７５６と、制御装置／プロセッサ７５９とであってもよい。
【００６１】
１つのコンフィギュレーションでは、ワイヤレス通信のための装置１００は、少なくとも１つのセル識別子をＵＥに送信する手段を具備する。各セル識別子は、そこからの干渉を消去すべきセルに対応している。装置１００は、ＵＥに信号を送信する手段をさらに具備する。装置１００は、送信信号の品質測定を含む報告を受信する手段をさらに具備する。装置１００は、送信信号の品質測定が、干渉を持たない送信信号に対応しているか否かに基づいて、ＵＥが干渉を消去することが可能であるか否かを決定する手段をさらに具備する。装置１００は、ＵＥが干渉を消去することが可能であるか否かに基づいて、ＵＥを担当するか否かを決定する手段をさらに具備する。装置１００は、第１の組のリソースを通して通信するようにＵＥを構成する手段をさらに具備する。このようなコンフィギュレーションでは、品質測定は、第１の組のリソース中で送信される信号に対するものである。装置１００は、第２の組のリソースを通して通信するようにＵＥを構成することなく、第２の組のリソースに関する品質測定を提供するようにＵＥを構成する手段をさらに具備する。このようなコンフィギュレーションでは、品質測定は、第２の組のリソース中で送信された信号に対するものでもある。１つのコンフィギュレーションでは、干渉は、ＰＤＣＣＨまたはＰＣＦＩＣＨのうちの少なくとも１つを含み、装置１００は、ＵＥによってＰＤＣＣＨ／ＰＣＦＩＣＨをそこから受信した各無線ネットワークに対するＲＮＴＩと、ＣＣＥ集約レベルと、ＰＤＣＣＨ／ＰＣＦＩＣＨに対して使用されるＲＥと基準信号に対して使用されるＲＥとの間の相対的な電力比とを含む情報を送信する手段をさらに具備する。装置１００は、干渉を持つ送信信号の品質測定を含む第２の報告を受信する手段をさらに具備する。先述した手段によって規定されている機能を実行するように構成されている処理システム１１４である。先に説明したように、処理システム１１４は、ＴＸプロセッサ７１６と、ＲＸプロセッサ７７０と、制御装置／プロセッサ７７５とを備える。そのため、１つのコンフィギュレーションでは、先述した手段は、先述した手段によって規定されている機能を実行するように構成されている、ＴＸプロセッサ７１６と、ＲＸプロセッサ７７０と、制御装置／プロセッサ７７４とであってもよい。
【００６２】
１つのコンフィギュレーションでは、ワイヤレス通信のための装置１００は、ＰＤＣＣＨまたはＰＣＦＩＣＨのうちの少なくとも１つをそこから受信した各無線ネットワークに対するＲＮＴＩと、ＣＣＥ集約レベルと、ＰＤＣＣＨまたはＰＣＦＩＣＨのうちの少なくとも１つに対して使用されるＲＥと基準信号に対して使用されるＲＥとの間の相対的な電力比とを含む情報を受信する手段を具備する。装置１００は、情報に基づいて、干渉を消去する手段をさらに具備する。先述した手段は、先述した手段によって規定されている機能を実行するように構成されている処理システム１１４である。先に説明したように、処理システム１１４は、ＴＸプロセッサ７６８と、ＲＸプロセッサ７５６と、制御装置／プロセッサ７５９とを備える。そのため、１つのコンフィギュレーションでは、先述した手段は、先述した手段によって規定されている機能を実行するように構成されている、ＴＸプロセッサ７６８と、ＲＸプロセッサ７５６と、制御装置／プロセッサ７５９とであってもよい。
【００６３】
開示したプロセスにおけるステップの特定の順序または階層が、例示的なアプローチの例であることが理解される。設計選択に基づいて、プロセスにおけるステップの特定の順序または階層が再構成されてもよいことが理解される。添付の方法の請求項は、サンプルの順序におけるさまざまなステップのエレメントを提示しており、提示した特定の順序または階層に限定されることを意図しない。
【００６４】
先の説明は、ここで説明したさまざまな態様を、任意の当業者が十分に実施できるように提供されている。これらの態様に対するさまざまな改良は、当業者に容易に明らかとなり、ここで規定した一般的な原理は、他の態様に適用されてもよい。したがって、特許請求の範囲は、ここで示した態様に限定されることを意図するものではなく、特許請求の範囲の文言と矛盾しない全範囲を許容すべきである。エレメントの単数での言及は、“１つおよび１つのみ”と特に述べられていない限り、“１つおよび１つのみ”を意味することを意図しているのではなく、むしろ“１つ以上の”を意味することを意図している。そうでないことが特に述べられていない限り、“いくつかの”という用語は１つ以上のことを指す。当業者に知られている、または、後に知られることになる、本開示全体で説明したさまざまな態様のエレメントに対するすべての構造的および機能的な均等物は、参照によりここに明確に組み込まれ、特許請求の範囲に含まれることを意図している。さらに、ここで開示したものは、このような開示が特許請求の範囲中に明示的に規定されているか否かにかかわらず、公共に捧げられることを意図していない。  
以下に、本願出願の当初の特許請求の範囲に記載された発明を付記する。
［１］ワイヤレス通信の方法において、
少なくとも１つのセル識別子を受信することと、
前記少なくとも１つのセル識別子のうちの１つ以上に対応するセルから受信した干渉を、受信した信号から除去することと、
前記干渉を持たない受信信号の品質測定を含む報告を送信することとを含み、
各セル識別子は、そこからの干渉を消去すべきセルに対応している方法。
［２］前記品質測定は、受信信号受信品質（ＲＳＲＱ）測定であり、前記報告は、無線リソース管理（ＲＲＭ）報告である上記［１］の方法。
［３］品質測定および通信のための第１の組のリソースを識別するコンフィギュレーション情報を受信することをさらに含み、
前記品質測定は、前記受信信号中の前記第１の組のリソースの測定に対応する上記［１］の方法。
［４］品質測定のための第２の組のリソースを識別する第２のコンフィギュレーション情報を受信することをさらに含み、
前記報告は、前記受信信号中の前記第２の組のリソースに対応する第２の品質測定をさらに含む上記［３］の方法。
［５］前記第２の組のリソースは、通信用に構成されていない上記［４］の方法。
［６］前記干渉は、セル固有基準信号（ＣＲＳ）、物理ダウンリンク共有チャネル（ＰＤＳＣＨ）、物理ダウンリンク制御チャネル（ＰＤＣＣＨ）、または、物理制御フォーマットインジケータチャネル（ＰＣＦＩＣＨ）のうちの少なくとも１つを含む上記［１］の方法。
［７］前記ＰＤＣＣＨ／ＰＣＦＩＣＨをそこから受信した各無線ネットワークに対する無線ネットワーク一時識別子（ＲＮＴＩ）と、制御チャネルエレメント（ＣＣＥ）集約レベルと、前記ＰＤＣＣＨ／ＰＣＦＩＣＨに対して使用されるリソースエレメント（ＲＥ）と基準信号に対して使用されるＲＥとの間の相対的な電力比とのうちの少なくとも１つを含む情報を受信することをさらに含み、
前記干渉は、前記受信した情報に基づいて、前記受信信号から除去され、前記干渉は、前記ＰＤＣＣＨまたは前記ＰＣＦＩＣＨのうちの少なくとも１つを含む上記［６］の方法。
［８］前記干渉を持つ前記受信信号の品質測定を含む第２の報告を送信することをさらに含む上記［１］の方法。
［９］前記少なくとも１つのセル識別子のうちの１つに対応するセルから、少なくとも１つの同期信号を受信することと、
前記受信した少なくとも１つの同期信号から、追加で受信した同期信号に対応する干渉を除去することと、
前記追加で受信した同期信号に対応する干渉を持たない前記少なくとも１つの同期信号に基づいて、前記セルを検出することとをさらに含む上記［１］の方法。
［１０］ポジショニング基準信号（ＰＲＳ）に基づいて、前記少なくとも１つのセル識別子のうちの１つに対応するセルを検出することをさらに含む上記［１］の方法。
［１１］前記少なくとも１つのセル識別子のうちの１つに対応するセルから、物理ブロードキャストチャネル（ＰＢＣＨ）を受信することと、
前記セルを検出するために、前記受信したＰＢＣＨから、追加で受信したＰＢＣＨの干渉を除去することと、
前記追加で受信したＰＢＣＨの干渉を持たない前記ＰＢＣＨに基づいて、前記セルを検出することとをさらに含む上記［１］の方法。
［１２］担当セルから受信した、隣接セルの物理ブロードキャストチャネル（ＰＢＣＨ）に基づいて、前記少なくとも１つのセル識別子のうちの１つに対応するセルを検出することをさらに含む上記［１］の方法。
［１３］ワイヤレス通信の方法において、
少なくとも１つのセル識別子をユーザ機器（ＵＥ）に送信することと、
前記ＵＥに信号を送信することと、
前記送信信号の品質測定を含む報告を受信することと、
前記送信信号の前記品質測定が、前記干渉を持たない前記送信信号に対応するか否かに基づいて、前記ＵＥが前記干渉を消去することが可能であるか否かを決定することとを含み、
各セル識別子は、その送信信号が干渉消去のために識別されるセルに対応している方法。
［１４］前記ＵＥが前記干渉を消去することが可能であるか否かに基づいて、前記ＵＥを担当するか否かを決定することをさらに含む上記［１３］の方法。
［１５］前記品質測定は、受信信号受信品質（ＲＳＲＱ）測定であり、前記報告は、無線リソース管理（ＲＲＭ）報告である上記［１３］の方法。
［１６］前記第１の組のリソースを通して通信するように前記ＵＥを構成することをさらに含み、
前記品質測定は、前記第１の組のリソース中で送信された信号に対応する上記［１３］の方法。
［１７］第２の組のリソースの前記品質測定を提供するように前記ＵＥを構成することをさらに含み、前記ＵＥは、前記第２の組のリソースを通して通信するように構成されておらず、前記品質測定は、前記第２の組のリソースを通して送信された信号にさらに対応している上記［１６］の方法。
［１８］前記干渉は、セル固有基準信号（ＣＲＳ）、物理ダウンリンク共有チャネル（ＰＤＳＣＨ）、物理ダウンリンク制御チャネル（ＰＤＣＣＨ）、または、物理制御フォーマットインジケータチャネル（ＰＣＦＩＣＨ）のうちの少なくとも１つを含む上記［１３］の方法。
［１９］前記干渉は、前記ＰＤＣＣＨまたは前記ＰＣＦＩＣＨのうちの少なくとも１つを含み、
前記方法は、前記ＵＥによって前記ＰＤＣＣＨ／ＰＣＦＩＣＨをそこから受信した各無線ネットワークに対する無線ネットワーク一時識別子（ＲＮＴＩ）と、制御チャネルエレメント（ＣＣＥ）集約レベルと、前記ＰＤＣＣＨ／ＰＣＦＩＣＨに対して使用されるリソースエレメント（ＲＥ）と基準信号に対して使用されるＲＥとの間の相対的な電力比とのうちの少なくとも１つを含む情報を送信することをさらに含む上記［１８］の方法。
［２０］前記干渉を持つ前記送信信号の品質測定を含む第２の報告を受信することをさらに含む上記［１３］の方法。
［２１］ワイヤレス通信の方法において、
物理ダウンリンク制御チャネル（ＰＤＣＣＨ）または物理制御フォーマットインジケータチャネル（ＰＣＦＩＣＨ）のうちの少なくとも１つをそこから受信した各無線ネットワークに対する無線ネットワーク一時識別子（ＲＮＴＩ）と、制御チャネルエレメント（ＣＣＥ）集約レベルと、前記ＰＤＣＣＨまたは前記ＰＣＦＩＣＨのうちの少なくとも１つに対して使用されるリソースエレメント（ＲＥ）と基準信号に対して使用されるＲＥとの間の相対的な電力比とのうちの少なくとも１つを含む情報を受信することと、
前記ＰＤＣＣＨまたは前記ＰＣＦＩＣＨのうちの少なくとも１つをそこから受信した前記各無線ネットワークのうちの少なくとも１つから干渉を受信することと、
前記情報に基づいて、受信信号中の前記干渉を消去することとを含む方法。
［２２］ワイヤレス通信のための装置において、
少なくとも１つのセル識別子を受信する手段と、
前記少なくとも１つのセル識別子のうちの１つ以上に対応するセルから受信した干渉を、受信した信号から除去する手段と、
前記干渉を持たない受信信号の品質測定を含む報告を送信する手段とを具備し、
各セル識別子は、そこからの干渉を消去すべきセルに対応している装置。
［２３］前記品質測定は、受信信号受信品質（ＲＳＲＱ）測定であり、前記報告は、無線リソース管理（ＲＲＭ）報告である上記［２２］の装置。
［２４］品質測定および通信のための第１の組のリソースを識別するコンフィギュレーション情報を受信する手段をさらに具備し、
前記品質測定は、前記受信信号中の前記第１の組のリソースの測定に対応する上記［２２］の装置。
［２５］品質測定のための第２の組のリソースを識別する第２のコンフィギュレーション情報を受信する手段をさらに具備し、
前記報告は、前記受信信号中の前記第２の組のリソースに対応する第２の品質測定をさらに含む上記［２４］の装置。
［２６］前記第２の組のリソースは、通信用に構成されていない上記［２５］の装置。
［２７］前記干渉は、セル固有基準信号（ＣＲＳ）、物理ダウンリンク共有チャネル（ＰＤＳＣＨ）、物理ダウンリンク制御チャネル（ＰＤＣＣＨ）、または、物理制御フォーマットインジケータチャネル（ＰＣＦＩＣＨ）のうちの少なくとも１つを含む上記［２２］の装置。
［２８］前記ＰＤＣＣＨ／ＰＣＦＩＣＨをそこから受信した各無線ネットワークに対する無線ネットワーク一時識別子（ＲＮＴＩ）と、制御チャネルエレメント（ＣＣＥ）集約レベルと、前記ＰＤＣＣＨ／ＰＣＦＩＣＨに対して使用されるリソースエレメント（ＲＥ）と基準信号に対して使用されるＲＥとの間の相対的な電力比とのうちの少なくとも１つを含む情報を受信する手段をさらに具備し、
前記干渉は、前記受信した情報に基づいて、前記受信信号から除去され、前記干渉は、前記ＰＤＣＣＨまたは前記ＰＣＦＩＣＨのうちの少なくとも１つを含む上記［２７］の装置。
［２９］前記干渉を持つ前記受信信号の品質測定を含む第２の報告を送信する手段をさらに具備する上記［２２］の装置。
［３０］前記少なくとも１つのセル識別子のうちの１つに対応するセルから、少なくとも１つの同期信号を受信する手段と、
前記受信した少なくとも１つの同期信号から、追加で受信した同期信号に対応する干渉を除去する手段と、
前記追加で受信した同期信号に対応する干渉を持たない前記少なくとも１つの同期信号に基づいて、前記セルを検出する手段とをさらに具備する上記［２２］の装置。
［３１］ポジショニング基準信号（ＰＲＳ）に基づいて、前記少なくとも１つのセル識別子のうちの１つに対応するセルを検出する手段をさらに具備する上記［２２］の装置。
［３２］前記少なくとも１つのセル識別子のうちの１つに対応するセルから、物理ブロードキャストチャネル（ＰＢＣＨ）を受信する手段と、
前記セルを検出するために、前記受信したＰＢＣＨから、追加で受信したＰＢＣＨの干渉を除去する手段と、
前記追加で受信したＰＢＣＨの干渉を持たない前記ＰＢＣＨに基づいて、前記セルを検出する手段とをさらに具備する上記［２２］の装置。
［３３］担当セルから受信した、隣接セルの物理ブロードキャストチャネル（ＰＢＣＨ）に基づいて、前記少なくとも１つのセル識別子のうちの１つに対応するセルを検出する手段をさらに具備する上記［２２］の装置。
［３４］ワイヤレス通信のための装置において、
少なくとも１つのセル識別子をユーザ機器（ＵＥ）に送信する手段と、
前記ＵＥに信号を送信する手段と、
前記送信信号の品質測定を含む報告を受信する手段と、
前記送信信号の前記品質測定が、前記干渉を持たない前記送信信号に対応するか否かに基づいて、前記ＵＥが前記干渉を消去することが可能であるか否かを決定する手段とを具備し、
各セル識別子は、その送信信号が干渉消去のために識別されるセルに対応している装置。
［３５］前記ＵＥが前記干渉を消去することが可能であるか否かに基づいて、前記ＵＥを担当するか否かを決定する手段をさらに具備する上記［３４］の装置。
［３６］前記品質測定は、受信信号受信品質（ＲＳＲＱ）測定であり、前記報告は、無線リソース管理（ＲＲＭ）報告である上記［３４］の装置。
［３７］前記第１の組のリソースを通して通信するように前記ＵＥを構成する手段をさらに具備し、
前記品質測定は、前記第１の組のリソース中で送信された信号に対応する上記［３４］の装置。
［３８］第２の組のリソースの前記品質測定を提供するように前記ＵＥを構成する手段をさらに具備し、前記ＵＥは、前記第２の組のリソースを通して通信するように構成されておらず、前記品質測定は、前記第２の組のリソースを通して送信された信号にさらに対応する上記［３７］の装置。
［３９］前記干渉は、セル固有基準信号（ＣＲＳ）、物理ダウンリンク共有チャネル（ＰＤＳＣＨ）、物理ダウンリンク制御チャネル（ＰＤＣＣＨ）、または、物理制御フォーマットインジケータチャネル（ＰＣＦＩＣＨ）のうちの少なくとも１つを含む上記［３４］の装置。
［４０］前記干渉は、前記ＰＤＣＣＨまたは前記ＰＣＦＩＣＨのうちの少なくとも１つを含み、
前記装置は、前記ＵＥによって前記ＰＤＣＣＨ／ＰＣＦＩＣＨをそこから受信した各無線ネットワークに対する無線ネットワーク一時識別子（ＲＮＴＩ）と、制御チャネルエレメント（ＣＣＥ）集約レベルと、前記ＰＤＣＣＨ／ＰＣＦＩＣＨに対して使用されるリソースエレメント（ＲＥ）と基準信号に対して使用されるＲＥとの間の相対的な電力比とのうちの少なくとも１つを含む情報を送信する手段をさらに具備する上記［３９］の装置。
［４１］前記干渉を持つ前記送信信号の品質測定を含む第２の報告を受信する手段をさらに具備する上記［３４］の装置。
［４２］ワイヤレス通信のための装置において、
物理ダウンリンク制御チャネル（ＰＤＣＣＨ）または物理制御フォーマットインジケータチャネル（ＰＣＦＩＣＨ）のうちの少なくとも１つをそこから受信した各無線ネットワークに対する無線ネットワーク一時識別子（ＲＮＴＩ）と、制御チャネルエレメント（ＣＣＥ）集約レベルと、前記ＰＤＣＣＨまたは前記ＰＣＦＩＣＨのうちの少なくとも１つに対して使用されるリソースエレメント（ＲＥ）と基準信号に対して使用されるＲＥとの間の相対的な電力比とのうちの少なくとも１つを含む情報を受信する手段と、
前記ＰＤＣＣＨまたは前記ＰＣＦＩＣＨのうちの少なくとも１つをそこから受信した前記各無線ネットワークのうちの少なくとも１つから干渉を受信する手段と、
前記情報に基づいて、受信信号中の干渉を消去する手段とを具備する装置。
［４３］ワイヤレス通信のための装置において、
少なくとも１つのセル識別子を受信するようにと、
前記少なくとも１つのセル識別子のうちの１つ以上に対応するセルから受信した干渉を、受信した信号から除去するようにと、
前記干渉を持たない受信信号の品質測定を含む報告を送信するように構成されている処理システムを具備し、
各セル識別子は、そこからの干渉を消去すべきセルに対応している装置。
［４４］前記品質測定は、受信信号受信品質（ＲＳＲＱ）測定であり、前記報告は、無線リソース管理（ＲＲＭ）報告である上記［４３］の装置。
［４５］前記処理システムは、
品質測定および通信のための第１の組のリソースを識別するコンフィギュレーション情報を受信するようにさらに構成されており、
前記品質測定は、前記受信信号中の前記第１の組のリソースの測定に対応する上記［４３］の装置。
［４６］前記処理システムは、品質測定のための第２の組のリソースを識別する第２のコンフィギュレーション情報を受信するようにさらに構成されており、
前記報告は、前記受信信号中の前記第２の組のリソースに対応する第２の品質測定をさらに含む上記［４５］の装置。
［４７］前記第２の組のリソースは、通信用に構成されていない上記［４６］の装置。
［４８］前記干渉は、セル固有基準信号（ＣＲＳ）、物理ダウンリンク共有チャネル（ＰＤＳＣＨ）、物理ダウンリンク制御チャネル（ＰＤＣＣＨ）、または、物理制御フォーマットインジケータチャネル（ＰＣＦＩＣＨ）のうちの少なくとも１つを含む上記［４３］の装置。
［４９］前記処理システムは、前記ＰＤＣＣＨ／ＰＣＦＩＣＨをそこから受信した各無線ネットワークに対する無線ネットワーク一時識別子（ＲＮＴＩ）と、制御チャネルエレメント（ＣＣＥ）集約レベルと、前記ＰＤＣＣＨ／ＰＣＦＩＣＨに対して使用されるリソースエレメント（ＲＥ）と基準信号に対して使用されるＲＥとの間の相対的な電力比とのうちの少なくとも１つを含む情報を受信するようにさらに構成されており、
前記干渉は、前記受信した情報に基づいて、前記受信信号から除去され、前記干渉は、前記ＰＤＣＣＨまたは前記ＰＣＦＩＣＨのうちの少なくとも１つを含む上記［４８］の装置。
［５０］前記処理システムは、前記干渉を持つ前記受信信号の品質測定を含む第２の報告を送信するようにさらに構成されている上記［４３］の装置。
［５１］前記処理システムは、
前記少なくとも１つのセル識別子のうちの１つに対応するセルから、少なくとも１つの同期信号を受信するようにと、
前記受信した少なくとも１つの同期信号から、追加で受信した同期信号に対応する干渉を除去するようにと、
前記追加で受信した同期信号に対応する干渉を持たない前記少なくとも１つの同期信号に基づいて、前記セルを検出するようにさらに構成されている上記［４３］の装置。
［５２］前記処理システムは、ポジショニング基準信号（ＰＲＳ）に基づいて、前記少なくとも１つのセル識別子のうちの１つに対応するセルを検出するようにさらに構成されている上記［４３］の装置。
［５３］前記処理システムは、
前記少なくとも１つのセル識別子のうちの１つに対応するセルから、物理ブロードキャストチャネル（ＰＢＣＨ）を受信するようにと、
前記セルを検出するために、前記受信したＰＢＣＨから、追加で受信したＰＢＣＨの干渉を除去するようにと、
前記追加で受信したＰＢＣＨの干渉を持たない前記ＰＢＣＨに基づいて、前記セルを検出するようにさらに構成されている上記［４３］の装置。
［５４］前記処理システムは、担当セルから受信した、隣接セルの物理ブロードキャストチャネル（ＰＢＣＨ）に基づいて、前記少なくとも１つのセル識別子のうちの１つに対応するセルを検出するようにさらに構成されている上記［４３］の装置。
［５５］ワイヤレス通信のための装置において、
少なくとも１つのセル識別子をユーザ機器（ＵＥ）に送信するようにと、
前記ＵＥに信号を送信するようにと、
前記送信信号の品質測定を含む報告を受信するようにと、
前記送信信号の前記品質測定が、前記干渉を持たない前記送信信号に対応するか否かに基づいて、前記ＵＥが前記干渉を消去することが可能であるか否かを決定するように構成されている処理システムを具備し、
各セル識別子は、その送信信号が干渉消去のために識別されるセルに対応している装置。
［５６］前記処理システムは、前記ＵＥが前記干渉を消去することが可能であるか否かに基づいて、前記ＵＥを担当するか否かを決定するようにさらに構成されている上記［５５］の装置。
［５７］前記品質測定は、受信信号受信品質（ＲＳＲＱ）測定であり、前記報告は、無線リソース管理（ＲＲＭ）報告である上記［５５］の装置。
［５８］前記処理システムは、前記第１の組のリソースを通して通信するように前記ＵＥを構成するようにさらに構成されており、
前記品質測定は、前記第１の組のリソース中で送信された信号に対応する上記［５５］の装置。
［５９］前記処理システムは、第２の組のリソースの前記品質測定を提供するように前記ＵＥを構成するようにさらに構成されており、前記ＵＥは、前記第２の組のリソースを通して通信するように構成されておらず、前記品質測定は、前記第２の組のリソースを通して送信された信号にさらに対応する上記［５８］の装置。
［６０］前記干渉は、セル固有基準信号（ＣＲＳ）、物理ダウンリンク共有チャネル（ＰＤＳＣＨ）、物理ダウンリンク制御チャネル（ＰＤＣＣＨ）、または、物理制御フォーマットインジケータチャネル（ＰＣＦＩＣＨ）のうちの少なくとも１つを含む上記［５５］の装置。
［６１］前記干渉は、前記ＰＤＣＣＨまたは前記ＰＣＦＩＣＨのうちの少なくとも１つを含み、
前記処理システムは、前記ＵＥによって前記ＰＤＣＣＨ／ＰＣＦＩＣＨをそこから受信した各無線ネットワークに対する無線ネットワーク一時識別子（ＲＮＴＩ）と、制御チャネルエレメント（ＣＣＥ）集約レベルと、前記ＰＤＣＣＨ／ＰＣＦＩＣＨに対して使用されるリソースエレメント（ＲＥ）と基準信号に対して使用されるＲＥとの間の相対的な電力比とのうちの少なくとも１つを含む情報を送信するようにさらに構成されている上記［６０］の装置。
［６２］前記処理システムは、前記干渉を持つ前記送信信号の品質測定を含む第２の報告を受信するようにさらに構成されている上記［５５］の装置。
［６３］ワイヤレス通信のための装置において、
物理ダウンリンク制御チャネル（ＰＤＣＣＨ）または物理制御フォーマットインジケータチャネル（ＰＣＦＩＣＨ）のうちの少なくとも１つをそこから受信した各無線ネットワークに対する無線ネットワーク一時識別子（ＲＮＴＩ）と、制御チャネルエレメント（ＣＣＥ）集約レベルと、前記ＰＤＣＣＨまたは前記ＰＣＦＩＣＨのうちの少なくとも１つに対して使用されるリソースエレメント（ＲＥ）と基準信号に対して使用されるＲＥとの間の相対的な電力比とのうちの少なくとも１つを含む情報を受信するようにと、
前記ＰＤＣＣＨまたは前記ＰＣＦＩＣＨのうちの少なくとも１つをそこから受信した前記各無線ネットワークのうちの少なくとも１つから干渉を受信するようにと、
前記情報に基づいて、受信信号中の干渉を消去するように構成されている処理システムを具備する装置。
［６４］コンピュータ読取可能媒体を具備するコンピュータプログラム製品において、
前記コンピュータ読取可能媒体は、
少なくとも１つのセル識別子を受信するためのコードと、
前記少なくとも１つのセル識別子のうちの１つ以上に対応するセルから受信した干渉を、受信した信号から除去するためのコードと、
前記干渉を持たない受信信号の品質測定を含む報告を送信するためのコードとを含み、
各セル識別子は、そこからの干渉を消去すべきセルに対応しているコンピュータプログラム製品。
［６５］コンピュータ読取可能媒体を具備するコンピュータプログラム製品において、
前記コンピュータ読取可能媒体は、
少なくとも１つのセル識別子をユーザ機器（ＵＥ）に送信するためのコードと、
前記ＵＥに信号を送信するためのコードと、
前記送信信号の品質測定を含む報告を受信するためのコードと、
前記送信信号の前記品質測定が、前記干渉を持たない前記送信信号に対応するか否かに基づいて、ＵＥが前記干渉を消去することが可能であるか否かを決定するためのコードとを含み、
各セル識別子は、その送信信号が干渉消去のために識別されるセルに対応しているコンピュータプログラム製品。
［６６］コンピュータ読取可能媒体を具備するコンピュータプログラム製品において、
前記コンピュータ読取可能媒体は、
物理ダウンリンク制御チャネル（ＰＤＣＣＨ）または物理制御フォーマットインジケータチャネル（ＰＣＦＩＣＨ）のうちの少なくとも１つをそこから受信した各無線ネットワークに対する無線ネットワーク一時識別子（ＲＮＴＩ）と、制御チャネルエレメント（ＣＣＥ）集約レベルと、前記ＰＤＣＣＨまたは前記ＰＣＦＩＣＨのうちの少なくとも１つに対して使用されるリソースエレメント（ＲＥ）と基準信号に対して使用されるＲＥとの間の相対的な電力比とのうちの少なくとも１つを含む情報を受信するためのコードと、
前記ＰＤＣＣＨまたは前記ＰＣＦＩＣＨのうちの少なくとも１つをそこから受信した前記各無線ネットワークのうちの少なくとも１つから干渉を受信するためのコードと、
前記情報に基づいて、受信信号中の干渉を消去するためのコードとを含むコンピュータプログラム製品。
【図１】
0005859515.tif 000002
【図２】
0005859515.tif 000003
【図３】
0005859515.tif 000004
【図４】
0005859515.tif 000005
【図５】
0005859515.tif 000006
【図６】
0005859515.tif 000007
【図７】
0005859515.tif 000008
【図８】
0005859515.tif 000009
【図９】
0005859515.tif 000010
【図１０】
0005859515.tif 000011
【図１１】
0005859515.tif 000012
【図１２】
0005859515.tif 000013
【図１３】
0005859515.tif 000014
【図１４】
0005859515.tif 000015
【図１５】
0005859515.tif 000016